(57)【特許請求の範囲】
【請求項１】
複数の画像表示パネルを有し、前記複数の画像表示パネルの表示面が平面上に並んで配置され、複数の表示面を１つの画面として画像を表示する表示装置ユニットであって、
前記画像表示パネルは、印加電圧が印加される駆動電極部と、前記印加電圧に応じて検出電圧が発生する検出電極部と、を有し、
一部の前記画像表示パネルである印加画像表示パネルが有する前記駆動電極部のみに前記印加電圧を印加し、
前記印加画像表示パネル以外の画像表示パネルである待機画像表示パネルは、前記印加画像表示パネルへの前記印加電圧に応じて、前記検出電極部で前記検出電圧が発生し、
前記画像表示パネルを制御する制御部を更に有し、
前記制御部は、
前記検出電圧に基づき、前記複数の画像表示パネル同士の配列パターンを検出し、
前記印加画像表示パネルと、前記検出電圧が発生した前記待機画像表示パネルとの位置関係を検出し、その位置関係に基づき、前記複数の画像表示パネル同士の配列パターンを検出し、
前記印加画像表示パネルと、前記検出電圧が発生した前記待機画像表示パネルとを、互いに隣接する画像表示パネルと判断し、
前記検出電圧に基づき、隣接する画像表示パネル同士の位置ずれを検出する、
表示装置ユニット。
【請求項２】
複数の画像表示パネルを有し、前記複数の画像表示パネルの表示面が平面上に並んで配置され、複数の表示面を１つの画面として画像を表示する表示装置ユニットであって、
前記画像表示パネルは、印加電圧が印加される駆動電極部と、前記印加電圧に応じて検出電圧が発生する検出電極部と、を有し、
一部の前記画像表示パネルである印加画像表示パネルが有する前記駆動電極部のみに前記印加電圧を印加し、
前記印加画像表示パネル以外の画像表示パネルである待機画像表示パネルは、前記印加画像表示パネルへの前記印加電圧に応じて、前記検出電極部で前記検出電圧が発生し、
前記画像表示パネルを制御する制御部を更に有し、
前記制御部は、
前記検出電圧に基づき、前記複数の画像表示パネル同士の配列パターンを検出し、
前記印加画像表示パネルと、前記検出電圧が発生した前記待機画像表示パネルとの位置関係を検出し、その位置関係に基づき、前記複数の画像表示パネル同士の配列パターンを検出し、
前記印加画像表示パネルと、前記検出電圧が発生した前記待機画像表示パネルとを、互いに隣接する画像表示パネルと判断し、
前記印加画像表示パネルを順次別の画像表示パネルに切り替えて隣接する画像表示パネルを順次検出することにより、前記複数の画像表示パネル同士の配列パターンを検出し、
隣接する画像表示パネルであると判断された画像表示パネルが重複した場合に、その重複した画像表示パネルに隣接する画像表示パネルの情報を統合して前記複数の画像表示パネル同士の配列パターンを検出し、全ての画像表示パネルについて隣接する画像表示パネルの検出が終了した場合に、次の印加画像表示パネルの選択を取りやめて、前記印加画像表示パネルとして選択する画像表示パネルの総数を、全画像表示パネルの総数よりも小さくする、
表示装置ユニット。
【請求項３】
前記印加画像表示パネルは、前記複数の画像表示パネル同士の配列パターンを確認する際に、前記駆動電極部に前記印加電圧を印加する、請求項１又は請求項２に記載の表示装置ユニット。
【請求項４】
前記待機画像表示パネルは、隣接する前記印加画像表示パネルで前記印加電圧が印加されることで、前記検出電圧が発生する、請求項１から請求項３のいずれか１項に記載の表示装置ユニット。
【請求項５】
前記画像表示パネルは、複数の駆動電極部及び検出電極部を有し、
前記印加画像表示パネルは、複数の駆動電極部に順番に前記印加電圧を印加する、請求項１から請求項３のいずれか１項に記載の表示装置ユニット。
【請求項６】
前記待機画像表示パネルは、前記印加画像表示パネルと隣接する側に配置された前記検出電極部で、前記検出電圧が発生する、請求項５に記載の表示装置ユニット。
【請求項７】
前記待機画像表示パネルは、前記検出電圧を、前記画像表示パネル毎に異なる振幅波形に信号化して、前記制御部に出力する、請求項１から請求項３のいずれか１項に記載の表示装置ユニット。
【請求項８】
前記検出電極部は、前記画像表示パネルへの近接物体に応じて自身の静電容量が変化する、請求項１又は請求項２に記載の表示装置ユニット。
【請求項９】
前記制御部は、前記印加画像表示パネルを順次別の画像表示パネルに切り替えて隣接する画像表示パネルを順次検出することにより、前記複数の画像表示パネル同士の配列パターンを検出する、請求項１に記載の表示装置ユニット。
【請求項１０】
前記制御部は、全ての画像表示パネルを前記印加画像表示パネルとして選択することにより、前記複数の画像表示パネル同士の配列パターンを検出する、請求項２又は請求項９に記載の表示装置ユニット。
【請求項１１】
前記制御部は、隣接する画像表示パネルであると判断された画像表示パネルが重複した場合に、その重複した画像表示パネルに隣接する画像表示パネルの情報を統合して前記複数の画像表示パネル同士の配列パターンを検出し、全ての画像表示パネルについて隣接する画像表示パネルの検出が終了した場合に、次の印加画像表示パネルの選択を取りやめて、前記印加画像表示パネルとして選択する画像表示パネルの総数を、全画像表示パネルの総数よりも小さくする、
請求項９に記載の表示装置ユニット。
【請求項１２】
前記制御部は、前記検出電圧に基づき、隣接する画像表示パネル同士の位置ずれを検出する、請求項２に記載の表示装置ユニット。
【請求項１３】
駆動電極部及び検出電極部を有する複数の画像表示パネルを含み、複数の画像表示パネルの表示面が平面状上に並んで配置され、複数の表示面を１つの画面として画像を表示する画像表示パネルユニットに画像を表示させる制御装置であって、
一部の前記画像表示パネルである印加画像表示パネルが有する前記駆動電極部のみに印加電圧を印加させ、前記印加画像表示パネル以外の画像表示パネルである待機画像表示パネルが有する前記検出電極部で前記印加電圧に応じて発生した検出電圧を取得して、前記検出電圧に基づき、前記複数の画像表示パネル同士の配列パターンを確認し、
前記印加画像表示パネル以外の画像表示パネルである待機画像表示パネルは、前記印加画像表示パネルへの前記印加電圧に応じて、前記検出電極部で前記検出電圧が発生し、
前記検出電圧に基づき、前記複数の画像表示パネル同士の配列パターンを検出し、
前記印加画像表示パネルと、前記検出電圧が発生した前記待機画像表示パネルとの位置関係を検出し、その位置関係に基づき、前記複数の画像表示パネル同士の配列パターンを検出し、
前記印加画像表示パネルと、前記検出電圧が発生した前記待機画像表示パネルとを、互いに隣接する画像表示パネルと判断し、
前記検出電圧に基づき、隣接する画像表示パネル同士の位置ずれを検出する、
制御装置。
【発明の詳細な説明】
【技術分野】
【０００１】
本開示は、複数の画像表示パネルを有する表示装置ユニット、制御装置及び画像表示パネルに関する。
【背景技術】
【０００２】
例えばパブリックビューイング等、大きな画面で画像を表示することが求められる場合、タイリングディスプレイという技術が用いられる。タイリングディスプレイは、例えば特許文献１に示すように、液晶ディスプレイ等の画像表示パネルを平面状に複数配列させて、その複数の画像表示パネルで１つの画像を表示する表示装置ユニットである。
【０００３】
タイリングディスプレイにおいて適切な画像を表示する場合には、画像表示パネルの配列パターンを把握しておき、その配列パターンに応じて各画像表示パネルに映像信号を送信する必要がある。例えば、画像表示パネルが２行２列に４つ配置されているタイリングディスプレイの場合、１行１列目に配置されている画像表示パネルを特定しておき、その画像表示パネルに、全体で表示する全体画像のうち左上（１行１列目）に該当する画像の映像信号を送信する必要がある。例えば、１行１列目に配置されている画像表示パネルに、全体画像のうち右上（１行２列目）に該当する画像を表示させてしまった場合、意図する全体画像が適切に表示することができなくなる。
【先行技術文献】
【特許文献】
【０００４】
【特許文献１】特開２０１２−１２８１８６号公報
【発明の概要】
【発明が解決しようとする課題】
【０００５】
このように、タイリングディスプレイは、画像表示パネルの配列パターンを認識することが必要であるが、例えば画像表示パネルの数が多くなった場合など、画像表示パネルの配列パターンの認識が困難となる場合がある。
【０００６】
本発明は、上記課題を解決するために、画像表示パネルの配列パターンを容易に認識することができる表示装置ユニット、制御装置及び画像表示パネルを提供することを目的とする。
【課題を解決するための手段】
【０００７】
本開示の表示装置ユニットは、複数の画像表示パネルを有し、前記複数の画像表示パネルの表示面が平面上に並んで配置され、複数の表示面を１つの画面として画像を表示する表示装置ユニットであって、前記画像表示パネルは、印加電圧が印加される駆動電極部と、前記印加電圧に応じて検出電圧が発生する検出電極部と、を有し、一部の前記画像表示パネルである印加画像表示パネルが有する前記駆動電極部に前記印加電圧を印加する。
【０００８】
本開示の制御装置は、駆動電極及び検出電極を有する複数の画像表示パネルを含み、複数の画像表示パネルの表示面が平面状上に並んで配置され、複数の表示面を１つの画面として画像を表示する画像表示パネルユニットに画像を表示させる制御装置であって、一部の前記画像表示パネルである印加画像表示パネルが有する前記駆動電極部のみに印加電圧を印加させ、前記印加画像表示パネル以外の画像表示パネルである待機画像表示パネルが有する前記検出電極部で前記印加電圧に応じて発生した検出電圧を取得して、前記検出電圧に基づき、前記複数の画像表示パネル同士の配列パターンを確認する。
【０００９】
本開示の画像表示パネルは、印加電圧が印加される駆動電極部と、前記印加電圧に応じて検出電圧が発生する検出電極部と、前記駆動電極部及び前記検出電極部の動作を制御するパネル制御部と、を有し、前記パネル制御部は、前記駆動電極部に前記印加電圧を印加する際には、前記検出電極部を、前記検出電圧を発生させない状態とし、前記駆動電極部に前記印加電圧を印加しない際には、前記検出電極部を、前記検出電圧を発生可能な状態とする。
【図面の簡単な説明】
【００１０】
【図１】図１は、タイリングディスプレイについて説明する説明図である。
【図２】図２は、タイリングディスプレイについて説明する説明図である。
【図３】図３は、第１実施形態に係る表示装置ユニットの構成を示すブロック図である。
【図４】図４は、画像表示パネルの構成を説明する説明図である。
【図５】図５は、第１実施形態における画像表示パネルの積層構造を示す図である。
【図６】図６は、第１実施形態におけるタッチ検出について説明する説明図である。
【図７】図７は、第１実施形態における制御部の構成を説明するブロック図である。
【図８】図８は、第１実施形態におけるパネル制御部の構成を説明するブロック図である。
【図９】図９は、制御部による配列パターンの検出処理の内容を説明するためのフローチャートである。
【図１０】図１０は、タイミング情報の一例を説明するための図である。
【図１１】図１１は、タイミング同期情報の一例を説明するための説明図である。
【図１２】図１２は、タイミング同期処理の処理フローを説明するフローチャートである。
【図１３】図１３は、印加電圧及び検出電圧の一例を示す図である。
【図１４】図１４は、印加電圧を印加した場合における検出電圧の発生について説明する説明図である。
【図１５】図１５は、印加電圧を印加した場合における検出電圧の発生について説明する説明図である。
【図１６】図１６は、印加電圧を印加した場合における検出電圧の発生について説明する説明図である。
【図１７】図１７は、配列情報の作成処理の処理フローを説明するフローチャートである。
【図１８Ａ】図１８Ａは、位置ずれ情報の検出処理の一例を説明するための図である。
【図１８Ｂ】図１８Ｂは、位置ずれ情報の検出処理の一例を説明するための図である。
【図１８Ｃ】図１８Ｃは、位置ずれ情報の検出処理の一例を説明するための図である。
【図１８Ｄ】図１８Ｄは、位置ずれ情報の検出処理の一例を説明するための図である。
【図１９】図１９は、第２実施形態に係る画像表示パネルユニットの構成を示す模式図である。
【図２０】図２０は、第２実施形態に係る配列情報の作成方法の例を説明する説明図である。
【図２１】図２１は、第２実施形態に係る配列情報の作成方法の処理フローを示すフローチャートである。
【図２２】図２２は、第３実施形態に係る画像表示パネルの構成を説明する説明図である。
【図２３Ａ】図２３Ａは、第３実施形態に係る駆動検出電極部の模式的な回路図である。
【図２３Ｂ】図２３Ｂは、第３実施形態におけるタッチ検出について説明する説明図である。
【図２４】図２４は、第３実施形態における検出電圧の発生について説明する説明図である。
【図２５Ａ】図２５Ａは、第３実施形態において印加電圧を印加した場合の検出電圧の発生について説明する説明図である。
【図２５Ｂ】図２５Ｂは、第３実施形態において印加電圧を印加した場合の検出電圧の発生について説明する説明図である。
【図２５Ｃ】図２５Ｃは、第３実施形態において印加電圧を印加した場合の検出電圧の発生について説明する説明図である。
【図２５Ｄ】図２５Ｄは、第３実施形態において印加電圧を印加した場合の検出電圧の発生について説明する説明図である。
【図２６】図２６は、第４実施形態に係る表示装置ユニットの構成を示すブロック図である。
【図２７Ａ】図２７Ａは、第４実施形態に係るパネル制御部の構成を示すブロック図である。
【図２７Ｂ】図２７Ｂは、第４実施形態に係る制御部の構成を示すブロック図である。
【図２８】図２８は、リターン検出電圧について説明する説明図である。
【図２９】図２９は、印加電圧の印加とリターン検出電圧の発生を説明するための説明図である。
【図３０】図３０は、印加電圧の印加とリターン検出電圧の発生を説明するための説明図である。
【図３１】図３１は、印加電圧の印加とリターン検出電圧の発生を説明するための説明図である。
【発明を実施するための形態】
【００１１】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
（第１実施形態）
最初に、第１実施形態について説明する。第１実施形態に係る表示装置ユニット１０は、複数の画像表示パネルが平面状に配列した画像表示パネルユニット３０を有する。表示装置ユニット１０は、複数の画像表示パネル３２を有し、複数の画像表示パネル３２の表示面が平面上に並んで配置され、複数の表示面を１つの画面として画像を表示するものであり、いわゆるタイリングディスプレイである。
【００１３】
以下、図１及び図２を用い、一般的なタイリングディスプレイの一例について説明する。図１及び図２は、タイリングディスプレイについて説明する説明図である。図１及び図２は、画像表示パネル１００Ａ、１００Ｂ、１００Ｃ、１００Ｄの表示面（画像を表示する面）が平面上に配列したタイリングディスプレイ１００を示している。画像表示パネル１００Ａは、左上に配置されており、画像表示パネル１００Ｂは、右上に配置されており、画像表示パネル１００Ｃは、左下に配置されており、画像表示パネル１００Ｄは、右下に配置されている。
【００１４】
タイリングディスプレイ１００は、画像表示パネル１００Ａ、１００Ｂ、１００Ｃ、１００Ｄの各表示面を１つの画面として画像を表示する。図１に示すように、タイリングディスプレイ１００にアルファベットの「Ａ」という１つの画像を表示させる場合、タイリングディスプレイ１００は、画像表示パネル１００Ａには「Ａ」の左上に該当する部分画像を表示させ、画像表示パネル１００Ｂには「Ａ」の右上に該当する部分画像を表示させ、画像表示パネル１００Ｃには「Ａ」の左下に該当する部分画像を表示させ、画像表示パネル１００Ｄには「Ａ」の右下に該当する部分画像を表示させる。
【００１５】
一方、タイリングディスプレイ１００が各画像表示パネルの配列パターンを認識できない場合、タイリングディスプレイ１００は、画像表示パネルが配置されている箇所に対応した画像信号を送信できず、画像表示パネルが、自身の配置されている箇所に対応した部分画像を表示できないおそれがある。例えば、このような場合、図２に示すように、タイリングディスプレイ１００は、画像表示パネル１００Ａには「Ａ」の右上に該当する部分画像を表示させ、画像表示パネル１００Ｂには「Ａ」の左上に該当する部分画像を表示させ、画像表示パネル１００Ｃには「Ａ」の右下に該当する部分画像を表示させ、画像表示パネル１００Ｄには「Ａ」の左下に該当する部分画像を表示させてしまう場合がある。
【００１６】
このように、タイリングディスプレイは、各画像表示パネルが全体のどの位置に配置されているかの情報（配列パターン）を認識し、各画像表示パネルに対し、その画像表示パネルの位置に対応する部分画像の画像信号を送信する必要がある。第１実施形態に係る表示装置ユニット１０は、各画像表示パネル３２の配列パターンを検出することが可能である。
【００１７】
（表示装置ユニットの全体構成）
図３は、第１実施形態に係る表示装置ユニットの構成を示すブロック図である。図３に示すように、表示装置ユニット１０は、制御部２０と、画像表示パネルユニット３０とを有する。画像表示パネルユニット３０は、画像表示パネル３２Ａ、３２Ｂ、３２Ｃ、３２Ｄ、３２Ｅ、３２Ｆ、３２Ｇ、３２Ｈ、３２Ｉを有する。以下、画像表示パネル３２Ａ、３２Ｂ、３２Ｃ、３２Ｄ、３２Ｅ、３２Ｆ、３２Ｇ、３２Ｈ、３２Ｉを互いに区別しない場合は、画像表示パネル３２と記載する。制御部２０は、全ての画像表示パネル３２に接続されており、各画像表示パネル３２の駆動を制御するものであるが、詳細な説明は後述する。
【００１８】
（画像表示パネルユニットの構成）
画像表示パネルユニット３０は、複数の画像表示パネル３２の表示面が平面上に並んで配置され、複数の表示面を１つの画面として画像を表示する。図３に示すように、画像表示パネルユニット３０は、画像表示パネル３２がＸ方向及びＹ方向に二次元マトリクス状に配列している。ここで、Ｘ方向は行方向であり、Ｙ方向と直交する列方向であるが、Ｘ方向及びＹ方向は、これに限られない。画像表示パネルユニット３０は、複数の画像表示パネル３２が、Ｘ方向に沿って３列、Ｙ方向に沿って３行の３行３列で配列している。第１実施形態において、画像表示パネル３２Ａは、第２行第１列目に配置されている。画像表示パネル３２Ｂは、第３行第２列目に配置されている。画像表示パネル３２Ｃは、第１行第２列目に配置されている。画像表示パネル３２Ｄは、第１行第１列目に配置されている。画像表示パネル３２Ｅは、第３行第３列目に配置されている。画像表示パネル３２Ｆは、第２行第２列目に配置されている。画像表示パネル３２Ｇは、第１行第３列目に配置されている。画像表示パネル３２Ｈは、第３行第１列目に配置されている。画像表示パネル３２Ｉは、第２行第３列目に配置されている。ただし、画像表示パネルユニット３０は、複数の画像表示パネル３２が平面状に配列しているものであれば、画像表示パネル３２の数は任意である。また、画像表示パネルユニット３０は、複数の画像表示パネル３２が平面状に配列しているものであれば、図３に示したような配列に限られず、例えば、複数の画像表示パネル３２が１列に配列するものであってもよく、階段状に配列するものであってもよい。
【００１９】
（画像表示パネルの構成）
次に、画像表示パネル３２の構成について説明する。図４は、画像表示パネルの構成を説明する説明図である。画像表示パネル３２は、タッチ検出機能付の画像表示パネル（いわゆるタッチパネル）である。図４に示すように、画像表示パネル３２は、パネル部３４と、パネル制御部３６とを有する。パネル部３４は、画像を表示する表示面を有し、かつ表示面への近接物体を検出する。パネル制御部３６は、パネル部３４の動作を制御する。
【００２０】
図４に示すように、パネル部３４は、駆動電極部３８Ａ、３８Ｂ、３８Ｃ、３８Ｄ、３８Ｅと、検出電極部３９Ａ、３９Ｂ、３９Ｃ、３９Ｄ、３９Ｅと、を有する。駆動電極部３８Ａ、３８Ｂ、３８Ｃ、３８Ｄ、３８Ｅは、Ｙ方向に沿って延在しており、Ｘ方向にこの順で並んでいる電極である。検出電極部３９Ａ、３９Ｂ、３９Ｃ、３９Ｄ、３９Ｅは、駆動電極部３８Ａ、３８Ｂ、３８Ｃ、３８Ｄ、３８Ｅに対向して設けられる電極である。検出電極部３９Ａ、３９Ｂ、３９Ｃ、３９Ｄ、３９Ｅは、Ｘ方向に沿って延在しており、Ｙ方向にこの順で並んでいる。以下、駆動電極部３８Ａ、３８Ｂ、３８Ｃ、３８Ｄ、３８Ｅを互いに区別しない場合は、駆動電極部３８と記載し、検出電極部３９Ａ、３９Ｂ、３９Ｃ、３９Ｄ、３９Ｅを互いに区別しない場合は、検出電極部３９と記載する。駆動電極部３８及び検出電極部３９の形状、配列順、及び数は、図４の例に限られない。
【００２１】
駆動電極部３８は、複数の画像表示パネル３２同士の配列パターンを確認する際の各タイミングにおいて、印加電圧ＶＡが印加される。検出電極部３９は、他の画像表示パネル３２（自身の画像表示パネル３２以外の画像表示パネル）における駆動電極部３８の印加電圧ＶＡに応じて、検出電圧ＶＤが発生する。また、駆動電極部３８は、近接物体の検出であるタッチ検出における駆動電極としての機能も有する。そして、検出電極部３９は、タッチ検出におけるタッチ検出用の電極としての機能も有する。
【００２２】
図５は、第１実施形態における画像表示パネルの積層構造を示す図である。図５に示すように、パネル部３４は、画素基板４０Ａと、画素基板４０Ａに対向して配置された対向基板４０Ｂと、画素基板４０Ａと対向基板４０Ｂとの間に設けられた液晶層４３とを有している。画素基板４０Ａは、回路基板としてのＴＦＴ基板４１と、このＴＦＴ基板４１上に２次元マトリクス状に配設された複数の画素電極４２とを有する。ＴＦＴ基板４１には、図示しない各画素の薄膜トランジスタ（ＴＦＴ；Thin Film Transistor）や、画素電極４２に画像信号を供給する画素信号線ＳＧＬ、各ＴＦＴを駆動する走査信号線ＧＣＬ等の配線が形成されている。
【００２３】
対向基板４０Ｂは、ガラス基板４４と、このガラス基板４４の一方の面に形成されたカラーフィルタ４５と、このカラーフィルタ４５の上に形成された複数の駆動電極部３８とを有する。カラーフィルタ４５は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。駆動電極部３８は、画像を表示する場合の共通駆動電極、タッチ検出を行う上での駆動電極、及び画像表示パネル３２の配列パターンを確認する際の駆動電極としての機能を有する。駆動電極部３８は、例えばＩＴＯ（Indium Tin Oxide）により構成されるものである。駆動電極部３８は、図示しないコンタクト導電柱によってＴＦＴ基板４１と連結され、このコンタクト導電柱を介して、ＴＦＴ基板４１から印加電圧ＶＡなどの電圧が印加されるようになっている。
【００２４】
ガラス基板４４の他方の面には、複数の検出電極部３９が形成されている。検出電極部３９は、タッチ検出を行う上での検出電極、及び画像表示パネル３２の配列パターンを確認する際の検出電極としての機能を有する。検出電極部３９は、駆動電極部３８と同様に、例えばＩＴＯにより構成されるものである。さらに、この検出電極部３９の上には、偏光板４６が配設されている。
【００２５】
液晶層４３は、電界の状態に応じてそこを通過する光を変調するものであり、例えば、ＴＮ（ツイステッドネマティック）、ＶＡ（垂直配向）、ＥＣＢ（電界制御複屈折）等の各種モードの液晶が用いられる。なお、液晶層４３と画素基板４０Ａとの間、および液晶層４３と対向基板４０Ｂとの間には、それぞれ配向膜が配設され、また、画素基板４０Ａの下面側には入射側偏光板が配置されるが、ここでは図示を省略している。
【００２６】
このように、駆動電極部３８は、タッチ検出を行う上での駆動電極、及び画像表示パネル３２の配列パターンを確認する際の駆動電極としての機能を有する。同様に、検出電極部３９は、タッチ検出を行う上での検出電極、及び画像表示パネル３２の配列パターンを確認する際の検出電極としての機能を有する。ただし、画像表示パネル３２の構成は、以上説明したものに限られない。画像表示パネル３２の配列パターンの確認については後述し、以下、タッチ検出について説明する。
【００２７】
図６は、第１実施形態におけるタッチ検出について説明する説明図である。図４、図５に示すように、本実施形態における駆動電極部３８と検出電極部３９とは、互いに対向して設けられた別々の電極である。本実施形態における画像表示パネル３２は、静電容量式のタッチパネルであり、より詳しくは、駆動電極部３８と検出電極部３９とで容量を形成する相互容量検出式のタッチパネルである。具体的には、図６の（Ａ）に示すように、タッチ検出を行う場合、タッチ駆動信号が駆動電極部３８に印加される。タッチ駆動信号は、最大電圧がタッチ駆動電圧ＶＴ０である、所定の周波数の交流信号である。タッチ駆動信号が印加された場合、対向する検出電極部３９は、タッチ駆動信号に対応するタッチ検出信号を発生させる。タッチ検出信号は、画像表示パネル３２などに指１１０などの近接物体が近接又はタッチしていない場合、最大電圧は、タッチ駆動電圧ＶＴ０に対応したタッチ検出電圧ＶＴ１となる。
【００２８】
一方、画像表示パネル３２に指１１０などの近接物体が近接又はタッチしている場合、駆動電極部３８と検出電極部３９とで形成した容量成分に加え、近接物体と検出電極部３９とが容量成分を形成する。この駆動電極部３８と検出電極部３９とが形成する容量成分と、近接物体と検出電極部３９とが形成する容量成分とは、等価回路上では直列なものとなる。従って、画像表示パネル３２に近接物体が近接した場合、タッチ検出信号の最大電圧は、タッチ検出電圧ＶＴ１よりも値が小さいタッチ検出電圧ＶＴ２となる。本実施形態においては、タッチ検出信号の最大電圧が、所定の閾値であるタッチ電圧閾値ＶＴ３よりも小さい場合に、画像表示パネル３２に指１１０などの近接物体が近接又はタッチしていると判断する。画像表示パネル３２は、このようにタッチ検出を行う。
【００２９】
（制御部の構成）
次に、制御部２０の構成について説明する。制御部２０は、画像表示パネル３２を制御する制御装置を構成する。図７は、第１実施形態における制御部の構成を説明するブロック図である。制御部２０は、タイミング同期部５０と、画像表示制御部５２と、配列情報部５４と、を有する。タイミング同期部５０は、制御部２０と画像表示パネル３２との動作タイミングを同期するためのタイミング同期情報を作成する。画像表示制御部５２は、各画像表示パネル３２の画像表示を制御するものである。配列情報部５４は、各画像表示パネル３２が全体のどの位置に配置されているか（配列パターン）の情報である配列情報を作成するものである。
【００３０】
タイミング同期部５０は、ＲＴＣ部６０と、タイミング信号部６２と、タイミング同期情報作成部６４と、を有する。ＲＴＣ部６０は、制御部２０のＲＴＣ（Real Time Clock；リアルタイムクロック）であり、制御部２０固有の時刻を計時する。ＲＴＣ部６０は、１秒オーダーの精度を有するものであるが、計時精度は任意であり、さらに精度の高いミリ秒オーダーの精度を有する高精度ＲＴＣ部を有していてもよい。
【００３１】
タイミング信号部６２は、各画像表示パネル３２にタイミング信号を出力するものである。タイミング信号とは、本実施形態ではピング(Ping)である。
【００３２】
タイミング同期情報作成部６４は、タイミング信号と、タイミング信号へのリターン信号であるリターンタイミングと、制御部２０及び画像表示パネル３２の各固有時刻と、に基づき、タイミング同期情報を作成する。タイミング同期情報は、制御部２０から出された命令が各画像表示パネル３２に届くまでの遅延時間の情報である。タイミング同期情報の作成処理の詳細については、後述する。
【００３３】
画像表示制御部５２は、タイミング同期部５０のタイミング同期情報、及び配列情報部５４の配列情報等に基づき、各画像表示パネル３２に所定の画像を表示させるための画像信号を送信する。
【００３４】
配列情報部５４は、印加電圧出力指示部７０、検出電圧情報作成部７２、隣接情報作成部７４、配列情報作成部７６、及び位置ずれ情報作成部７８を有する。
【００３５】
印加電圧出力指示部７０は、画像表示パネル３２に対し、自身の駆動電極部３８へ印加電圧ＶＡを印加するよう指示を出す。
【００３６】
検出電圧情報作成部７２は、他の画像表示パネル３２（自身の画像表示パネル３２以外の画像表示パネル）の印加電圧ＶＡに応じて発生した検出電圧ＶＤを取得して、検出電圧情報Ａ１を作成する。検出電圧情報Ａ１については後述する。
【００３７】
隣接情報作成部７４は、検出電圧情報Ａ１に基づき、互いに隣接する画像表示パネル３２を示す情報である隣接情報Ｂを作成する。隣接情報Ｂについては後述する。
【００３８】
配列情報作成部７６は、隣接情報Ｂに基づき、複数の画像表示パネル３２同士の配列パターンを示す配列情報Ｃを作成する。配列情報Ｃについては後述する。
【００３９】
位置ずれ情報作成部７８は、検出電圧情報Ａ１に基づき、隣接する画像表示パネル３２同士の位置ずれの情報である位置ずれ情報Ｄを作成する。位置ずれ情報Ｄについては後述する。
【００４０】
制御部２０は、以上説明した構成となる。
【００４１】
（パネル制御部の構成）
次に、パネル制御部３６の構成について説明する。図８は、第１実施形態におけるパネル制御部の構成を説明するブロック図である。図８に示すように、パネル制御部３６は、パネルタイミング部８０と、パネル表示制御部８２と、タッチ制御部８３と、電極制御部８４と、を有する。パネルタイミング部８０は、制御部２０のタイミング同期部５０からのタイミング信号を受信し、リターンタイミング信号を出力する。パネル表示制御部８２は、制御部２０の画像表示制御部５２からの画像信号に基づき、パネル部３４に画像を表示させる。タッチ制御部８３は、パネル部３４のタッチ検出を制御する。電極制御部８４は、制御部２０の印加電圧出力指示部７０の指示に基づき印加電圧ＶＡの印加を行い、検出電圧ＶＤを制御部２０の検出電圧情報作成部７２に出力する。
【００４２】
パネルタイミング部８０は、パネルＲＴＣ部９０と、パネルタイミング信号部９２と、を有する。パネルＲＴＣ部９０は、画像表示パネル３２のＲＴＣであり、自身の画像表示パネル３２固有の時刻を計時する。パネルＲＴＣ部９０は、１秒オーダーの精度を有するものであるが、計時精度は任意であり、さらに精度の高いミリ秒オーダーの精度を有する高精度ＲＴＣ部を有していてもよい。
【００４３】
パネルタイミング信号部９２は、タイミング信号部６２からのタイミング信号を受信し、タイミング信号部６２にリターンタイミング信号を出力する。
【００４４】
電極制御部８４は、印加電圧出力部９４と、検出電圧送信部９６と、を有する。印加電圧出力部９４は、制御部２０の印加電圧出力指示部７０の指示に基づき、自身の駆動電極部３８に印加電圧ＶＡを印加する。検出電圧送信部９６は、自身の画像表示パネル３２における検出電極部３９に発生した検出電圧ＶＤを、制御部２０の検出電圧情報作成部７２に送信する。
【００４５】
パネル制御部３６は、以上のような構成となっている。
【００４６】
（処理内容）
次に、制御部２０による、画像表示パネル３２の配列パターンを検出するための処理内容について説明する。図９は、制御部による配列パターンの検出処理の内容を説明するためのフローチャートである。図９に示すように、制御部２０は、最初に、タイミング同期処理を実行し（ステップＳ１０）、配列パターンを検出する上でのタイミング同期情報を作成する。タイミング同期処理を実行した後、制御部２０は、画像表示パネル３２の配列パターンを示す配列情報の作成処理を実行する（ステップＳ１２）。配列情報作成処理を実行した後、制御部２０は、隣接する画像表示パネル３２同士の位置ずれの情報である位置ずれ情報を作成する（ステップＳ１４）。これにより、画像表示パネル３２の配列パターンを検出するための処理は終了する。制御部２０は、この処理結果に基づき、各画像表示パネル３２に、画像表示パネル３２が配置されている箇所に対応した画像信号を送信する。画像表示パネル３２は、この適切な画素信号に基づき、自身の配置されている箇所に対応した画像を表示する。以下、ステップＳ１０、Ｓ１２、Ｓ１４の各処理の詳細を説明する。
【００４７】
（タイミング同期処理）
最初に、図９のステップＳ１０のタイミング同期処理について説明する。タイミング同期処理とは、制御部２０から出された命令が各画像表示パネル３２に届くまでの遅延時間を予め検出しておく処理である。制御部２０は、画像表示パネル３２の配列パターン検出において、この遅延時間を考慮した制御を行うことで、各画像表示パネル３２の動作の同期をとることが可能となり、適切に配列パターンの検出を行うことが可能となる。
【００４８】
制御部２０のタイミング同期部５０は、タイミング信号部６２により、全ての画像表示パネル３２に対し、タイミング信号を出力する。また、タイミング同期部５０は、制御部２０自身に対しても、タイミング信号を出力する。
【００４９】
画像表示パネル３２は、タイミング信号を取得すると、パネルタイミング信号部９２により、タイミング信号のリターン信号であるリターンタイミング信号を生成し、制御部２０のタイミング同期情報作成部６４に出力する。また、パネルタイミング信号部９２は、パネルＲＴＣ部９０から、リターンタイミング信号を出力する際の自身の固有時刻の情報である固有時刻情報を取得して、制御部２０のタイミング同期情報作成部６４に出力する。同様に、制御部２０のタイミング同期部５０は、自身へのタイミング信号を取得すると、リターンタイミング信号を生成して、タイミング同期情報作成部６４へ出力する。また、タイミング同期部５０は、ＲＴＣ部６０から、リターンタイミング信号を出力する際の自身の固有時刻の情報である固有時刻情報を取得して、タイミング同期情報作成部６４に出力する。
【００５０】
タイミング同期情報作成部６４は、タイミング信号を出力した制御部２０の固有時刻と、リターンタイミング信号を取得した制御部２０の固有時刻とに基づき、タイミング遅れ時間を検出する。リターンタイミング信号は、各画像表示パネル３２が出力するものであるため、タイミング遅れ時間は、画像表示パネル３２毎に検出される。タイミング遅れ時間は、タイミング信号を出力した時刻とリターンタイミング信号を取得した時刻との差であり、制御部２０から出された命令が各画像表示パネル３２に届くまでの遅延時間に当たるものとなる。また、リターンタイミング信号は、制御部２０自身も出力するものであるため、タイミング遅れ時間は、制御部２０自身についても検出される。制御部２０自身のタイミング遅れ時間は、制御部２０内での制御における遅延時間である。また、タイミング同期情報作成部６４は、リターンタイミング信号を出力した際の各画像表示パネル３２の固有時刻情報、及びリターンタイミング信号を出力した際の制御部２０の固有時刻情報を取得する。
【００５１】
タイミング同期情報作成部６４は、各画像表示パネル３２と制御部２０とのタイミング信号遅れ時間と、各画像表示パネル３２及び制御部２０の固有時刻情報とを、タイミング情報として記憶する。制御部２０のタイミング同期部５０は、このタイミング情報の作成処理を複数回繰り返し、複数のタイミング情報を作成する。
【００５２】
図１０は、タイミング情報の一例を説明するための図である。図１０は、最初のタイミングである第１タイミング情報と、その次のタイミング情報である第２タイミング情報と、その次のタイミング情報である第３タイミング情報を示している。図１０の第１タイミング情報によると、リターンタイミング信号を出力した際の制御部２０の固有時刻は１００（ｓ）であり、画像表示パネル３２Ａの固有時刻は３２０（ｓ）であり、画像表示パネル３２Ｂの固有時刻は２５０（ｓ）であり、画像表示パネル３２Ｃの固有時刻は７２０（ｓ）である。これは、同じタイミングにおける各部の時刻を示しており、例えば、制御部２０の時刻が１００（ｓ）であるとき、画像表示パネル３２Ａの時刻は３２０（ｓ）であることを示している。
【００５３】
また、図１０の第１タイミング情報によると、制御部２０自身のタイミング遅れ時間は１６（ｍｓ）であり、画像表示パネル３２Ａのタイミング遅れ時間は１６（ｍｓ）であり、画像表示パネル３２Ｂのタイミング遅れ時間は１６（ｍｓ）であり、画像表示パネル３２Ｃのタイミング遅れ時間は２４（ｍｓ）である。これは、例えば、制御部２０が自身に命令を出した場合の遅延時間が１６（ｍｓ）であり、画像表示パネル３２Ａに命令を出した場合の遅延時間も、同様に１６（ｍｓ）であることを示している。
【００５４】
図１０に示すように、タイミング同期情報作成部６４は、以上説明した第１タイミング情報と、その後のタイミング情報である第２タイミング情報、及び第３タイミング情報とを取得する。第２タイミング情報は、第１タイミング情報よりも３２秒後に行われた処理であるため、例えば第２タイミング情報における制御部２０の固有時刻は１３２（ｓ）である。なお、図１０では、画像表示パネル３２のうち画像表示パネル３２Ａ、３２Ｂ、３２Ｃの情報のみを記載しているが、実際のタイミング情報は、全ての画像表示パネル３２の情報を有している。
【００５５】
タイミング同期情報作成部６４は、このように作成した複数のタイミング情報に基づき、タイミング同期情報を作成する。タイミング同期情報は、制御部２０の固有時刻と各画像表示パネル３２の固有時刻との対応関係の情報である時刻同期情報と、制御部２０から出された命令が各画像表示パネル３２に届くまでの遅延時間情報と、を有する。タイミング同期情報作成部６４は、制御部２０の固有時刻と、各画像表示パネル３２の固有時刻との差に基づき、時刻同期情報を作成する。また、タイミング同期情報作成部６４は、各画像表示パネル３２の遅れ時間の情報に基づき、遅延時間情報を作成する。なお、タイミング同期情報作成部６４は、少なくとも１つのタイミング情報に基づいてタイミング同期情報を作成すればよい。
【００５６】
図１１は、タイミング同期情報の一例を説明するための説明図である。図１１は、図１０の第１タイミング情報、第２タイミング情報、及び第３タイミング情報に基づき作成されたタイミング同期情報を示している。図１１によると、時刻同期情報は、画像表示パネル３２Ａの固有時刻が、制御部２０の固有時刻に対して２２０（ｓ）進んでいることを示している。同様に、画像表示パネル３２Ｂの固有時刻は、制御部２０の固有時刻に対して１５０（ｓ）進んでおり、画像表示パネル３２Ｃの固有時刻は、制御部２０の固有時刻に対して６２０（ｓ）進んでいる。この時刻同期情報は、各タイミング情報における制御部２０の固有時刻と、各画像表示パネル３２の固有時刻との差の値となっている。
【００５７】
また、図１１によると、遅延時間情報は、画像表示パネル３２Ａの遅延時間、すなわち制御部２０からの命令が画像表示パネル３２Ａまで届く時間（片道の時間）が、８．１６（ｍｓ）であることを示している。この遅延時間情報は、第１タイミング情報、第２タイミング情報、及び第３タイミング情報における画像表示パネル３２Ａのタイミング遅れ時間の平均値を、２で割った値となっている。同様に、画像表示パネル３２Ｂの遅延時間は、８．１６（ｍｓ）であり、画像表示パネル３２Ｃの遅延時間は、１２．１６（ｍｓ）である。ただし、遅延時間情報は、第１タイミング情報、第２タイミング情報、及び第３タイミング情報における画像表示パネル３２Ａのタイミング遅れ時間の最大値を、２で割った値であってもよい。
【００５８】
タイミング同期情報作成部６４は、以上のようにタイミング同期情報を作成する。制御部２０は、このタイミング同期情報に基づき、後の配列パターン情報作成の制御等を行う。例えば、制御部２０は、時刻同期情報に基づき、各画像表示パネル３２に対し、固有時刻を指定した制御が可能となる。また、制御部２０は、所定の固有時刻に画像表示パネル３２に処理を行わせる場合、その固有時刻よりも少なくとも遅延時間だけ前に命令を出力することにより、所定の固有時刻に遅れることなく処理を行わせることが可能となる。
【００５９】
以上説明したタイミング同期処理の処理フローを、フローチャートにより説明する。図１２は、タイミング同期処理の処理フローを説明するフローチャートである。図１２に示すように、最初に、制御部２０は、タイミング信号部６２により、制御部２０及び各画像表示パネル３２に対し、タイミング信号を出力する(ステップＳ２０)。タイミング信号を出力した後、制御部２０は、タイミング同期情報作成部６４により、制御部２０及び各画像表示パネル３２からのリターンタイミング信号と、固有時刻情報とを取得する（ステップＳ２２）。
【００６０】
リターンタイミング信号と固有時刻情報とを取得した後、制御部２０は、タイミング同期情報作成部６４により、タイミング情報を作成する(ステップＳ２４)。タイミング情報は、各画像表示パネル３２と制御部２０とのタイミング信号遅れ時間と、各画像表示パネル３２及び制御部２０の固有時刻情報とを有する情報である。タイミング情報を作成した後、制御部２０は、タイミング同期情報作成部６４により、タイミング同期情報を作成する(ステップＳ２６)。タイミング同期情報は、制御部２０の固有時刻と各画像表示パネル３２の固有時刻との対応関係の情報である時刻同期情報と、制御部２０から出された命令が各画像表示パネル３２に届くまでの遅延時間情報と、を有する情報である。本実施形態において、タイミング同期情報作成部６４は、複数のタイミング情報に基づき、タイミング同期情報を作成する。ステップＳ２６でタイミング同期情報を作成することにより、本処理は終了する。
【００６１】
（配列情報作成処理）
次に、図９のステップＳ１２の配列情報作成処理について説明する。以下に示す配列情報作成処理においては、制御部２０は、画像表示パネル３２に画像を表示させない。最初に、制御部２０の配列情報部５４は、印加電圧出力指示部７０により、画像表示パネル３２Ａ、３２Ｂ、３２Ｃ、３２Ｄ、３２Ｅ、３２Ｆ、３２Ｇ、３２Ｈ、３２Ｉのうち１つを印加画像表示パネルとして選択する。印加電圧出力指示部７０は、その印加画像表示パネルに対し、自身の駆動電極部３８へ印加電圧ＶＡを印加するよう指示を出す。そして、印加電圧出力指示部７０は、印加画像表示パネル以外の全ての画像表示パネル３２である待機画像表示パネルに対し、検出電極部３９を待機状態、すなわち印加電圧ＶＡを検出して検出電極ＶＤを発生可能な状態にする旨の指示を出す。
【００６２】
例えば、印加電圧出力指示部７０は、画像表示パネル３２Ｆを印加画像表示パネルとして選択した場合、画像表示パネル３２Ｆのパネル制御部３６が有する印加電圧出力部９４に対し、印加電圧ＶＡを印加するよう指示を出力する。ただし、印加電圧出力指示部７０は、画像表示パネル３２Ｆ以外を印加画像表示パネルとして選択してもよいし、同時に複数の画像表示パネル３２を印加画像表示パネルとして選択してもよい。ただし、配列情報部５４は、同じタイミングにおいては、全ての画像表示パネル３２のうち一部の画像表示パネル３２のみを、印加画像表示パネルとして選択する。
【００６３】
印加画像表示パネルとして選択された画像表示パネル３２Ｆの印加電圧出力部９４は、印加電圧出力指示部７０からの指示に基づき、自身の駆動電極部３８へ印加電圧ＶＡを印加する。印加電圧出力部９４は、駆動電極部３８Ａ、３８Ｂ、３８Ｃ、３８Ｄ、３８Ｅの順で、順次各駆動電極部３８に印加電圧ＶＡを印加する。印加電圧出力部９４は、同時には１つの、駆動電極部３８にしか印加電圧ＶＡを印加せず、他の駆動電極部３８は電圧が印加されない状態となる。なお、印加電圧出力部９４の印加電圧ＶＡを印加する順番は、これに限られない。また、印加画像表示パネルとして選択された画像表示パネル３２Ｆの印加電圧出力部９４は、自身の検出電極部３９を、印加電圧ＶＡを検出しない（検出電圧ＶＤを発生させない）ベースライン駆動モードにする。
【００６４】
印加画像表示パネルとして選択された画像表示パネル３２Ｆの駆動電極部３８に印加電圧ＶＡが印加された場合、印加画像表示パネル以外の画像表示パネル３２である待機画像表示パネルの少なくとも一部は、検出電極部３９において、その印加電圧ＶＡに対応した検出電圧ＶＤが発生する。待機画像表示パネルの検出電極部３９は、印加画像表示パネルの駆動電極部３８と容量成分を構成する位置にある場合、検出電圧ＶＤが発生する。すなわち、一部の待機画像表示パネルの検出電極部３９は、印加画像表示パネルの駆動電極部３８と一対の電極としてコンデンサを形成するため、その検出電極部３９は、他方の電極である駆動電極部３８への印加電圧ＶＡにより、検出電圧ＶＤが発生する。詳しくは後述するが、本実施形態においては、印加画像表示パネルにＸ方向又はＹ方向で隣接する待機画像表示パネルにおいて、検出電極部３９で検出電圧ＶＤが発生する。
【００６５】
図１３は、印加電圧及び検出電圧の一例を示す図である。図１３の（Ａ）に示すように、印加電圧ＶＡは、最大電圧値ＶＡ１を有する所定の周波数の電圧信号である。同様に、図１３の（Ｂ）に示すように、検出電圧ＶＤは、最大電圧値ＶＤ１を有して印加電圧ＶＡと対応する（同じ）周波数の電圧信号である。本実施形態においては、印加画像表示パネルにＸ方向又はＹ方向で隣接する待機画像表示パネルの検出電極部３９であって、印加画像表示パネル側に位置する検出電極部３９において、検出電圧ＶＤが発生する。言い換えれば、本実施形態においては、印加電圧ＶＡが印加された駆動電極部３８とＸ方向又はＹ方向で隣接する検出電極部３９において、検出電圧ＶＤが発生する。印加電圧ＶＡによって検出電極部３９に発生する電圧は、印加電圧ＶＡが印加された駆動電極部３８から距離が離れるに従って減衰する。本実施形態においては、印加電圧ＶＡが印加された駆動電極部３８にＸ方向又はＹ方向で隣接しない検出電極部３９は、検出電圧ＶＤを発生させた検出電極部３９よりも駆動電極部３８からの距離が離れているため、図１３の（Ｃ）に示すように、電圧が発生しない。
【００６６】
ただし、印加電圧ＶＡが印加された駆動電極部３８にＸ方向又はＹ方向で隣接しない検出電極部３９であっても、印加電圧ＶＡが印加された駆動電極部３８と容量成分を構成する位置にある場合は、図１３の（Ｄ）に示すように、検出電圧ＶＤよりも最大電圧値が小さい低検出電圧ＶＬ（最大電圧値ＶＬ１）が発生する場合がある。低検出電圧ＶＬは、検出電圧ＶＤを発生させる検出電極部３９よりも、印加電圧ＶＡが印加された駆動電極部３８からの距離が離れており、かつ、印加電圧ＶＡが印加された駆動電極部３８と容量成分を構成する位置にある検出電極部３９において発生する。この場合、制御部２０は、所定の閾値を有する検出電圧閾値ＶＴＨを予め記憶しておき、検出電圧閾値ＶＴＨより値が大きい最大電圧値をもつ電圧信号を、印加電圧ＶＡとし、検出電圧閾値ＶＴＨより値が小さい最大電圧値をもつ電圧信号を、低検出電圧ＶＬとする。なお、上述のように、検出電極部３９に発生する電圧は、待機画像表示パネルからの距離が離れるに従って減衰する。制御部２０は、検出電圧閾値ＶＴＨを複数設けることにより、より離れた画像表示パネル３２の位置を検出することができる。
【００６７】
以下、画像表示パネル３２Ｆの駆動電極部３８に順次印加電圧ＶＡを印加した場合における検出電圧ＶＤの発生について説明する。図１４から図１６は、印加電圧を印加した場合における検出電圧の発生について説明する説明図である。上述のように、印加画像表示パネルである画像表示パネル３２Ｆは、駆動電極部３８Ａ、３８Ｂ、３８Ｃ、３８Ｄ、３８Ｅに、順次印加電圧ＶＡを印加する。図１４は、画像表示パネル３２Ｆの駆動電極部３８Ａに印加電圧ＶＡを印加したタイミングにおいて、検出電圧ＶＤが発生する検出電極部３９を示している。図１５は、画像表示パネル３２Ｆの駆動電極部３８Ｂ、３８Ｃ、３８Ｄに印加電圧ＶＡを順次印加したタイミングにおいて、検出電圧ＶＤが発生する検出電極部３９を示している。図１６は、画像表示パネル３２Ｆの駆動電極部３８Ｅに印加電圧ＶＡを印加したタイミングにおいて、検出電圧ＶＤが発生する検出電極部３９を示している。
【００６８】
図１４に示すように、画像表示パネル３２Ｆの駆動電極部３８Ａに印加電圧ＶＡが印加されると、画像表示パネル３２Ｆの駆動電極部３８ＡにＸ方向又はＹ方向で隣接する検出電極部３９において、検出電圧ＶＤが発生する。具体的には、画像表示パネル３２Ａは、画像表示パネル３２Ｆの駆動電極部３８ＡにＸ方向で左側に隣接する検出電極部３９Ｅにおいて検出電圧ＶＤが発生する。また、画像表示パネル３２Ｉは、画像表示パネル３２Ｆの駆動電極部３８ＡにＸ方向で右側に隣接する検出電極部３９Ａにおいて、検出電圧ＶＤが発生する。また、画像表示パネル３２Ｃは、画像表示パネル３２Ｆの駆動電極部３８ＡにＹ方向で上側に隣接する検出電極部３９Ａ、３９Ｂ、３９Ｃ、３９Ｄ、３９Ｅにおいて、検出電圧ＶＤが発生する。以上で説明した以外の検出電極部３９は、画像表示パネル３２Ｆの駆動電極部３８Ａに隣接していないため、このタイミングにおいて検出電圧ＶＤが発生しない。
【００６９】
また、図１５に示すように、画像表示パネル３２Ｆの駆動電極部３８Ｂ、３８Ｃ、３８Ｄに印加電圧ＶＡが印加されると、画像表示パネル３２Ｆの駆動電極部３８Ｂ、３８Ｃ、３８ＤにＸ方向又はＹ方向で隣接する検出電極部３９において、検出電圧ＶＤが発生する。具体的には、画像表示パネル３２Ａは、画像表示パネル３２Ｆの駆動電極部３８Ｂ、３８Ｃ、３８ＤにＸ方向で左側に隣接する検出電極部３９Ｅにおいて、検出電圧ＶＤが発生する。また、画像表示パネル３２Ｉは、画像表示パネル３２Ｆの駆動電極部３８Ｂ、３８Ｃ、３８ＤにＸ方向で右側に隣接する検出電極部３９Ａにおいて、検出電圧ＶＤが発生する。以上で説明した以外の検出電極部３９は、画像表示パネル３２Ｆの駆動電極部３８Ｂ、３８Ｃ、３８Ｄに隣接していないため、このタイミングにおいて、検出電圧ＶＤが発生しない。
【００７０】
また、図１６に示すように、画像表示パネル３２Ｆの駆動電極部３８Ｅに印加電圧ＶＡが印加されると、画像表示パネル３２Ｆの駆動電極部３８ＥにＸ方向又はＹ方向で隣接する検出電極部３９において、検出電圧ＶＤが発生する。具体的には、画像表示パネル３２Ａは、画像表示パネル３２Ｆの駆動電極部３８ＥにＸ方向で左側に隣接する検出電極部３９Ｅにおいて、検出電圧ＶＤが発生する。また、画像表示パネル３２Ｉは、画像表示パネル３２Ｆの駆動電極部３８ＥにＸ方向で右側に隣接する検出電極部３９Ａにおいて、検出電圧ＶＤが発生する。また、画像表示パネル３２Ｂは、画像表示パネル３２Ｆの駆動電極部３８ＡにＹ方向で下側に隣接する検出電極部３９Ａ、３９Ｂ、３９Ｃ、３９Ｄ、３９Ｅにおいて、検出電圧ＶＤが発生する。以上で説明した以外の検出電極部３９は、画像表示パネル３２Ｆの駆動電極部３８Ｅに隣接していないため、このタイミングにおいて、検出電圧ＶＤが発生しない。なお、図１４から図１６で説明したいずれの状態においても、印加画像表示パネルである画像表示パネル３２Ｆの検出電極部３９は、ベースライン駆動モードとなっているため、検出電圧ＶＤが発生しない。
【００７１】
このように、検出電圧ＶＤが発生する検出電極部３９は、印加画像表示パネルに印加される駆動電極部３８に応じて変化する。待機画像表示パネルの検出電圧送信部９６は、自身の検出電極部３９で発生した検出電圧ＶＤを、逐次、制御部２０の検出電圧情報作成部７２に出力する。制御部２０の検出電圧情報作成部７２は、この検出電圧ＶＤから、パネル種類情報Ａ２と、検出電極種類情報Ａ３と、検出電極タイミング情報Ａ４とを有する検出電圧情報Ａ１を作成する。パネル種類情報Ａ２は、検出電圧ＶＤを送信した待機画像表示パネルが、どの画像表示パネル３２であるかを示す情報である。検出電極種類情報Ａ３は、検出電圧ＶＤを送信してきた画像表示パネル３２が有する全検出電極部３９のうちで、どの検出電極部３９において検出電圧ＶＤが発生したかの情報である。また、検出電極タイミング情報Ａ４は、その検出電極部３９が、順次印加電圧ＶＡが印加されたどのタイミングにおいて、検出電圧ＶＤが発生したかの情報である。従って、言い換えれば、検出電圧情報Ａ１は、複数の駆動電極部３８のうちどの駆動電極部３８に印加電圧ＶＡが印加された際に、どの検出電極部３９に検出電圧ＶＤが発生したかの情報である。なお、検出電圧送信部９６は、パネル制御部３６に検出電圧ＶＤを出力して、パネル制御部３６が制御部２０の検出電圧情報作成部７２に検出電圧ＶＤを出力してもよい。
【００７２】
なお、検出電圧情報作成部７２は、制御部２０が各画像表示パネル３２に異なるネットワークコードを割り当てることで、パネル種類情報Ａ２を取得する。ただし、検出電圧情報作成部７２は、例えば各画像表示パネル３２の検出電圧送信部９６が、各画像表示パネル３２を識別するためにコード化された検出電圧ＶＤを出力することにより、パネル種類情報Ａ２を取得可能である。例えば、検出電圧送信部９６は、検出電圧ＶＤの信号に固有の周波数の信号を加えた信号を、制御部２０に出力する。従って、この信号の振幅波形は、画像表示パネル３２毎に異なるものになる。検出電圧送信部９６は、この検出電圧ＶＤの信号を解析することで、その検出電圧情報Ａ１はどの画像表示パネル３２から出力されたものかを認識することができる。
【００７３】
制御部２０の隣接情報作成部７４は、検出電圧情報Ａ１に基づき、隣接情報Ｂを作成する。隣接情報Ｂは、印加画像表示パネルにＸ方向で隣接する待機画像表示パネルと、印加画像表示パネルにＹ方向で隣接する待機画像表示パネルとが、どの画像表示パネル３２であるかを示す情報である。以下、隣接情報Ｂの作成方法について説明する。
【００７４】
最初に、Ｘ方向で隣接する画像表示パネル３２を検出する方法について説明する。印加画像表示パネルである画像表示パネル３２ＦにＸ方向左側で隣接する待機画像表示パネルは、画像表示パネル３２Ａである。図１４から図１６で示したように、画像表示パネル３２Ａは、画像表示パネル３２Ｆの駆動電極部３８Ａ、３８Ｂ、３８Ｃ、３８Ｄ、３８Ｅに、順次印加電圧ＶＡが印加される全てのタイミングにおいて、画像表示パネル３２ＦにＸ方向に隣接する検出電極部３９Ｅにおいて、検出電圧ＶＤが発生する。制御部２０の隣接情報作成部７４は、順次印加電圧ＶＡが印加された全てのタイミングにおいて、最も右側の検出電極である検出電極部３９Ｅで検出電圧ＶＤが発生した画像表示パネル３２を、印加画像表示パネルにＸ方向左側で隣接する画像表示パネル３２であると認識する。
【００７５】
また、印加画像表示パネルである画像表示パネル３２ＦにＸ方向右側で隣接する待機画像表示パネルは、画像表示パネル３２Ｉである。図１４から図１６で示したように、画像表示パネル３２Ｉは、画像表示パネル３２Ｆの駆動電極部３８Ａ、３８Ｂ、３８Ｃ、３８Ｄ、３８Ｅに、順次印加電圧ＶＡが印加される全てのタイミングにおいて、画像表示パネル３２ＦにＸ方向に隣接する検出電極部３９Ａにおいて、検出電圧ＶＤが発生する。制御部２０の隣接情報作成部７４は、順次印加電圧ＶＡが印加された全てのタイミングにおいて、最も左側の検出電極である検出電極部３９Ａで検出電圧ＶＤが発生した画像表示パネル３２を、印加画像表示パネルにＸ方向右側で隣接する画像表示パネル３２であると認識する。
【００７６】
次に、Ｙ方向で隣接する画像表示パネル３２を検出する方法について説明する。印加画像表示パネルである画像表示パネル３２ＦにＹ方向上側で隣接する待機画像表示パネルは、画像表示パネル３２Ｃである。図１４から図１６で示したように、画像表示パネル３２Ｃは、画像表示パネル３２Ｆの駆動電極部３８Ａに印加電圧ＶＡが印加されるタイミングにおいて、画像表示パネル３２ＦにＹ方向に隣接する検出電極部３９Ａ、３９Ｂ、３９Ｃ、３９Ｄ、３９Ｅにおいて、検出電圧ＶＤが発生する。制御部２０の隣接情報作成部７４は、駆動電極部３８Ａに印加電圧ＶＡが印加されたタイミングにおいて、全ての検出電極部３９で検出電圧ＶＤを発生した画像表示パネル３２を、印加画像表示パネルにＹ方向上側で隣接する画像表示パネル３２であると認識する。
【００７７】
また、印加画像表示パネルである画像表示パネル３２ＦにＹ方向下側で隣接する待機画像表示パネルは、画像表示パネル３２Ｂである。図１４から図１６で示したように、画像表示パネル３２Ｂは、画像表示パネル３２Ｆの駆動電極部３８Ｅに印加電圧ＶＡが印加されるタイミングにおいて、画像表示パネル３２ＦにＹ方向に隣接する検出電極部３９Ａ、３９Ｂ、３９Ｃ、３９Ｄ、３９Ｅにおいて、検出電圧ＶＤが発生する。制御部２０の隣接情報作成部７４は、駆動電極部３８Ｅに印加電圧ＶＡが印加されたタイミングにおいて、全ての検出電極部３９で検出電圧ＶＤが発生した画像表示パネル３２を、印加画像表示パネルにＹ方向下側で隣接する画像表示パネル３２であると認識する。
【００７８】
制御部２０の隣接情報作成部７４は、以上説明した方法で、検出電圧情報Ａ１に基づき、印加画像表示パネルにＸ方向又はＹ方向で隣接する画像表示パネル３２がどの画像表示パネルであるかを示す隣接情報Ｂを作成する。
【００７９】
隣接情報Ｂを作成した後、制御部２０は、印加電圧出力指示部７０により、画像表示パネル３２Ａ、３２Ｂ、３２Ｃ、３２Ｄ、３２Ｅ、３２Ｆ、３２Ｇ、３２Ｈ、３２Ｉのうち、すでに選択したものとは異なる他の１つを印加画像表示パネルとして選択し、同様の処理を繰り返すことで、隣接情報Ｂをさらに作成する。例えば、制御部２０は、画像表示パネル３２Ｆの次に画像表示パネル３２Ｇを印加画像表示パネルとして選択して同様の処理を繰り返すことで、画像表示パネル３２ＧにＸ方向又はＹ方向で隣接する画像表示パネル３２がどの画像表示パネルであるかを示す隣接情報Ｂを作成する。制御部２０は、全ての画像表示パネル３２を印加画像表示パネルとして選択するまで同様の処理を繰り返し、全ての画像表示パネル３２に対して、その画像表示パネル３２に隣接する画像表示パネル３２の情報である隣接情報Ｂを作成する。
【００８０】
全ての画像表示パネル３２に対して隣接情報Ｂを作成した後、制御部２０は、配列情報作成部７６により、全ての画像表示パネル３２に対する隣接情報Ｂに基づき、画像表示パネル３２の配列パターンの情報である配列情報Ｃを作成する。配列情報Ｃは、各画像表示パネル３２が全体のどの位置に配置されているかの情報である。配列情報Ｃは、例えば、第１行第１列目に画像表示パネル３２Ｄが配置され、第１行第２列目に画像表示パネル３２Ｃが配置されている等の情報である。
【００８１】
以上説明した配列情報Ｃの作成処理の処理フローを、フローチャートに基づき説明する。図１７は、配列情報の作成処理の処理フローを説明するフローチャートである。図１７に示すように、最初に、制御部２０は、印加電圧出力指示部７０により、画像表示パネル３２Ａ、３２Ｂ、３２Ｃ、３２Ｄ、３２Ｅ、３２Ｆ、３２Ｇ、３２Ｈ、３２Ｉのうち１つを印加画像表示パネルとして選択する（ステップＳ３０）。
【００８２】
印加画像表示パネルを選択した後、制御部２０は、印加電圧出力指示部７０により、印加画像表示パネルに印加電圧ＶＡを印加させ、印加画像表示パネル以外の待機画像表示パネルを待機状態にする（ステップＳ３２）。これにより、印加画像表示パネルの印加電圧出力部９４は、順次各駆動電極部３８に印加電圧ＶＡを印加する。また、待機画像表示パネルの印加電圧出力部９４は、各検出電極部３９を待機状態（印加電圧ＶＡを検出して検出電極ＶＤを発生可能な状態）にする。待機画像表示パネルのうち、印加画像表示パネルにＸ方向又はＹ方向で隣接する待機画像表示パネルは、印加電圧ＶＡが印加された駆動電極部３８側の検出電極部３９が、順次検出電極ＶＤを発生させる。検出電極ＶＤを発生させた待機画像表示パネルの検出電圧送信部９６は、検出電圧ＶＤを、制御部２０に出力する。
【００８３】
ステップＳ３２により待機画像表示パネルの検出電圧送信部９６から検出電圧ＶＤを取得した後、制御部２０は、検出電圧情報作成部７２により、検出電圧情報Ａ１を作成する（ステップＳ３４）。検出電圧情報Ａ１は、複数の駆動電極部３８のうちどの駆動電極部３８に印加電圧ＶＡが印加された際に、どの検出電極部３９に検出電圧ＶＤが発生したかの情報である。
【００８４】
検出電圧情報Ａ１を作成した後、制御部２０は、隣接情報作成部７４により、検出電圧情報Ａ１に基づき、隣接情報Ｂを作成する（ステップＳ３６）。隣接情報Ｂは、印加画像表示パネルにＸ方向で隣接する待機画像表示パネルと、印加画像表示パネルにＹ方向で隣接する待機画像表示パネルとが、どの画像表示パネル３２であるかを示す情報である。
【００８５】
隣接情報Ｂを作成した後、制御部２０は、全ての画像表示パネル３２を印加画像表示パネルとして選択したかを判断する（ステップＳ３８）。全ての画像表示パネル３２を印加画像表示パネルとして選択していない場合（ステップＳ３８；Ｎｏ）、ステップＳ３０に戻り、すでに印加画像表示パネルとして選択した画像表示パネル３２以外の画像表示パネル３２を印加画像表示パネルとして選択し、以降の処理を実行する。また、全ての画像表示パネル３２を印加画像表示パネルとして選択した場合（ステップＳ３８；Ｙｅｓ）、制御部２０は、配列情報作成部７６により、全ての画像表示パネル３２に対する隣接情報Ｂに基づき、配列情報Ｃを作成する（ステップＳ４０）。配列情報Ｃは、各画像表示パネル３２が全体のどの位置に配置されているかの情報である。ステップＳ４０により、配列情報Ｃの作成処理は終了する。制御部２０は、この配列情報Ｃによりどの画像表示パネル３２がどの位置にいるかを認識することができるため、各画像表示パネル３２に対し、その画像表示パネル３２の位置に対応する部分画像の画像信号を送信することができる。
【００８６】
（位置ずれ情報作成処理）
次に、図９のステップＳ１４の位置ずれ情報Ｄの作成処理について説明する。位置ずれ情報Ｄとは、互いに隣接する画像表示パネル３２同士の位置がずれているかの情報である。制御部２０は、位置ずれ情報作成部７８が、検出電圧ＶＤに基づき、隣接する画像表示パネル３２同士の位置ずれ情報Ｄを作成する。位置ずれ情報作成部７８は、例えば、隣接する画像表示パネル３２の同じ側の側部同士の位置が、Ｘ方向又はＹ方向に所定の値以上離れていると判断した場合に、その画像表示パネル３２同士の位置がずれているとする。また、位置ずれ情報作成部７８は、例えば、互いに隣接する画像表示パネル３２において互いに対向する側面間の距離が、所定の値以上離れていると判断した場合に、隣接する画像表示パネル３２同士の位置がずれているとする。以下、位置ずれ検出の方法の例について、具体的に説明する。
【００８７】
図１８Ａから図１８Ｄは、位置ずれ情報の検出処理の一例を説明するための図である。図１８Ａの例では、画像表示パネル３２ＦのＸ方向左側の側部３３Ｆ１は、画像表示パネル３２ＣのＸ方向左側の側部３３Ｃ１に対し、Ｘ方向右側に距離Ｋ１離れている。距離Ｋ１は、検出電極部３９のＸ方向に沿った幅以上の距離である。この場合、画像表示パネル３２Ｃの検出電極部３９Ａは、画像表示パネル３２Ｆの駆動電極部３８ＡとＹ方向に隣接しなくなる。従って、画像表示パネル３２Ｃの検出電極部３９Ａは、画像表示パネル３２Ｆの駆動電極部３８Ａを駆動した場合にも、検出電極ＶＤを発生させない。一方、画像表示パネル３２Ｃの検出電極部３９Ｂ、３９Ｃ、３９Ｄ、３９Ｅは、画像表示パネル３２Ｆの駆動電極部３８Ａを駆動した場合に、検出電極ＶＤを発生させる。位置ずれ情報作成部７８は、このように、画像表示パネル３２Ｆの駆動電極部３８Ａを駆動したタイミングにおいて、検出電極部３９Ａが検出電極ＶＤを発生させず、検出電極部３９Ｂ、３９Ｃ、３９Ｄ、３９Ｅが検出電極ＶＤを発生させた場合、画像表示パネル３２Ｃが図１８ＡのようにＸ方向右側に位置ずれしていると検出する。
【００８８】
また、図１８Ｂの例では、画像表示パネル３２Ｆの側部３５Ｆ１は、画像表示パネル３２Ｉの側部３５Ｉ１から、Ｙ方向上側に距離Ｋ２離れている。距離Ｋ２は、駆動電極部３８のＹ方向に沿った幅以上の距離である。この場合、画像表示パネル３２Ｉの検出電極部３９Ａは、画像表示パネル３２Ｆの駆動電極部３８ＡとＸ方向に隣接しなくなる。従って、画像表示パネル３２Ｉの検出電極部３９Ａは、画像表示パネル３２Ｆの駆動電極部３８Ａを駆動した場合には、検出電極ＶＤを発生させない。ただし、画像表示パネル３２Ｉの検出電極部３９Ａは、画像表示パネル３２Ｆの駆動電極部３８Ｂ、３８Ｃ、３８Ｄ、３８Ｅを駆動した場合には、検出電極ＶＤを発生させる。位置ずれ情報作成部７８は、画像表示パネル３２Ｆの駆動電極部３８Ａの駆動時には、検出電極部３９Ａが検出電極ＶＤを発生させず、画像表示パネル３２Ｆの駆動電極部３８Ｂ、３８Ｃ、３８Ｄ、３８Ｅの駆動時には、検出電極部３９Ａが検出電極ＶＤを発生させた場合、画像表示パネル３２Ｉが図１８ＢのようにＹ方向に位置ずれしていると検出する。
【００８９】
また、図１８Ｃの例では、画像表示パネル３２ＦのＸ方向右側の側部３３Ｆ２と、画像表示パネル３２ＩのＸ方向左側の側部３３Ｉ１とは、互いに対向し、かつＸ方向に距離Ｋ３離れている。距離Ｋ３は、画像表示パネル３２Ｉの検出電極部３９Ａが、画像表示パネル３２Ｆの駆動電極部３８の駆動によって検出電圧ＶＤが発生する距離より離れた距離である。この場合、画像表示パネル３２Ｉの検出電極部３９Ａは、画像表示パネル３２Ｆの駆動電極部３８の駆動により、検出電圧ＶＤよりも電圧値が小さい低検出電圧ＶＬを発生させる。この場合、位置ずれ情報作成部７８は、画像表示パネル３２Ｆと画像表示パネル３２Ｉとの互いに対向する側部が、位置ずれしていると判断する。
【００９０】
また、図１８Ｄの例では、画像表示パネル３２Ｆの側部３３Ｆ２と、画像表示パネル３２Ｉの側部３３Ｉ１との距離が、Ｙ方向に沿って変化している場合（斜めに配列している場合）を示している。この場合、画像表示パネル３２Ｉの検出電極部３９Ａと、画像表示パネル３２Ｆの各駆動電極部３８とのＸ方向に沿った距離は、Ｙ方向に沿って変化する。例えば、画像表示パネル３２Ｉの検出電極部３９Ａと画像表示パネル３２Ｆの駆動電極部３８Ｅとの距離は、画像表示パネル３２Ｉの検出電極部３９Ａと画像表示パネル３２Ｆの駆動電極部３８Ａとの距離より大きい。図１８Ｄの例では、画像表示パネル３２Ｆの駆動電極部３８Ｃを駆動させた場合における画像表示パネル３２Ｉの検出電極部３９Ａの発生電圧値は、画像表示パネル３２Ｆの駆動電極部３８Ａを駆動させた場合における画像表示パネル３２Ｉの検出電極部３９Ａの発生電圧値よりも小さい。また、画像表示パネル３２Ｆの駆動電極部３８Ｅを駆動させた場合における画像表示パネル３２Ｉの検出電極部３９Ａの発生電圧値は、画像表示パネル３２Ｆの駆動電極部３８Ｃを駆動させた場合における画像表示パネル３２Ｉの検出電極部３９Ａの発生電圧値よりも小さい。このように、画像表示パネル３２Ｉの検出電極部３９Ａが発生させる電圧の電圧値は、画像表示パネル３２Ｆの駆動電極部３８Ａ、３８Ｂ、３８Ｃ、３８Ｄ、３８Ｅの駆動に応じて変化する。この場合、位置ずれ情報作成部７８は、隣接する画像表示パネル３２が斜めに配列しており、位置ずれしていると判断する。
【００９１】
このように、位置ずれ情報作成部７８は、検出電圧情報Ａ１及び隣接情報Ｂに基づき、位置ずれ情報を検出する。制御部２０は、この位置ずれ情報を例えば操作者に通知することにより、操作者に隣接する画像表示パネル３２の位置がずれていることを知らせることができる。操作者は、この位置ずれ情報に基づき、隣接する画像表示パネル３２の位置ずれを修正することができる。
【００９２】
以上第１実施形態で説明したように、表示装置ユニット１０は、複数の画像表示パネル３２の表示面が平面上に並んで配置され、複数の表示面を１つの画面として画像を表示するものである。各画像表示パネル３２は、所定の電圧である印加電圧ＶＡが印加される駆動電極部３８と、印加電圧ＶＡに応じて検出電圧ＶＤが発生する検出電極部３９と、を有する。そして、表示装置ユニット１０は、一部の画像表示パネル３２である印加画像表示パネルが有する駆動電極部３８のみに、印加電圧ＶＡが印加される。この表示装置ユニット１０は、一部の画像表示パネル３２にのみ、印加電圧ＶＡを印加する。そして、検出電極３９は、この印加電圧ＶＡに応じた検出電圧ＶＤが発生する。この検出電圧ＶＤは、印加電圧ＶＡに応じたものであるため、この検出電圧ＶＤを検出することで、印加画像表示パネルの位置を検出することが可能となる。従って、この表示装置ユニット１０によると、画像表示パネル３２の配列パターンを容易に認識することができる。そのため、この表示装置ユニット１０によると、各画像表示パネル３２に対し、その画像表示パネル３２の位置に対応する適切な部分画像を表示させることにより、画像表示パネル３２全体で表示する全体画像を適切に表示することができる。
【００９３】
また、印加画像表示パネルは、配列パターンを確認する際に、駆動電極部３８に印加電圧ＶＡを印加する。すなわち、この表示装置ユニット１０は、配列パターンを確認する際に、一部の画像表示パネル３２である印加画像表示パネルにしか印加電圧ＶＤを印加しない。言い換えれば、この表示装置ユニット１０は、全ての画像表示パネル３２に対して同じタイミングで印加電圧ＶＡを印加しない。従って、印加電圧ＶＡが印加された一部の画像表示パネル３２に対応する検出電極部３９のみが、検出電圧ＶＤを発生させる。この表示装置ユニット１０によると、この検出電圧ＶＤに基づき画像表示パネル同士の配列パターンを確認することができる。従って、表示装置ユニット１０によると、画像表示パネルの配列パターンを容易に認識することができる。
【００９４】
また、表示装置ユニット１０は、印加画像表示パネル以外の画像表示パネル３２である待機画像表示パネルが有する検出電極部３９において、印加電圧ＶＡに応じて検出電圧ＶＤが発生する。この表示装置ユニット１０は、印加画像表示パネル以外の画像表示パネル３２である待機画像表示パネルにおいて検出電圧ＶＤが発生するため、この検出電圧ＶＤに基づき、印加画像表示パネルと待機画像表示パネルとの配列パターンを検出することができる。従って、表示装置ユニット１０は、画像表示パネルの配列パターンを容易に認識することができる。
【００９５】
また、待機画像表示パネルは、隣接する印加画像表示パネルに印加電圧ＶＡが印加されることで、検出電圧ＶＤが発生する。この表示装置ユニット１０は、印加画像表示パネルと隣接する待機画像表示パネルに検出電圧ＶＤが発生するため、この検出電圧ＶＤに基づき、印加画像表示パネルに隣接する待機画像表示パネルを検出することができる。そのため、表示装置ユニット１０は、画像表示パネルの配列パターンをより容易に認識することができる。
【００９６】
また、画像表示パネル３２は、複数の駆動電極部３８及び検出電極部３９を有している。印加画像表示パネルは、複数の駆動電極部３８に順番に印加電圧ＶＡを印加する。この表示装置ユニット１０は、順番に印加電圧ＶＡを印加するため、より正確に隣接する画像表示パネル３２を検出することができる。
【００９７】
また、待機画像表示パネルは、印加画像表示パネルと隣接する側に配置された検出電極部３９において、検出電圧ＶＤが発生する。この表示装置ユニット１０は、印加画像表示パネルと隣接する側の検出電極部３９で検出電圧ＶＤが発生するため、より正確に隣接する画像表示パネル３２を検出することができる。
【００９８】
また、待機画像表示パネルは、検出電圧ＶＤを、画像表示パネル３２毎に異なる振幅波形に信号化して出力するものである。この表示装置ユニット１０は、信号化された検出電圧ＶＤ（例えば検出電圧情報Ａ１）が、画像表示パネル３２毎に異なるため、その検出電圧ＶＤがどの画像表示パネル３２から発生したものかを容易に認識することが可能となる。従って、この表示装置ユニット１０は、より容易に隣接する画像表示パネル３２を検出することができる。
【００９９】
また、検出電極部３９は、画像表示パネル３２への近接物体に応じて自身の静電容量が変化する。すなわち、検出電極部３９は、タッチ検出機能と、配列パターンの検出機能とを有する。従って、この表示装置ユニット１０は、画像表示パネル３２の回路規模が大きくなることを抑制することができる。
【０１００】
また、表示装置ユニット１０は、画像表示パネル３２を制御する制御部２０を更に有し、制御部２０は、検出電圧ＶＤに基づき、複数の画像表示パネル３２同士の配列パターンを検出する。この表示装置ユニット１０は、制御部２０により画像表示パネル３２同士の配列パターンを検出するため、適切に画像表示パネルの配列パターンを認識することができる。
【０１０１】
また、制御部２０は、印加画像表示パネルと、検出電圧ＶＤを発生させた待機画像表示パネルとの位置関係を検出し、その位置関係に基づき、配列パターンを検出する。この制御部２０は、印加画像表示パネルと、検出電圧ＶＤが発生した待機画像表示パネルとの位置関係を検出するため、適切に画像表示パネルの配列パターンを認識することができる。
【０１０２】
また、制御部２０は、印加画像表示パネルと、検出電圧ＶＤが発生した待機画像表示パネルとを、互いに隣接する画像表示パネル３２と判断する。制御部２０は、印加画像表示パネルと、検出電圧ＶＤが発生した待機画像表示パネルとの位置関係を、互いに隣接するものであると判断する（隣接情報Ｂ）。従って、この制御部２０は、適切に画像表示パネルの配列パターンを認識することができる。
【０１０３】
また、制御部２０は、印加画像表示パネルを順次別の画像表示パネル３２に切り替えることにより、配列パターンを検出する。この制御部２０は、印加画像表示パネルを順次別の画像表示パネル３２に切り替えるため、各画像表示パネル３２の位置を順次検出することが可能となる。従って、この制御部２０は、適切に画像表示パネルの配列パターンを認識することができる。
【０１０４】
また、制御部２０は、検出電圧ＶＤに基づき、隣接する画像表示パネル３２同士の位置ずれを検出する。従って、操作者は、この位置ずれの検出結果に基づき、隣接する画像表示パネル３２の位置ずれを修正することができる。
【０１０５】
また、本実施形態に係る画像表示パネル３２（表示装置）は、印加電圧ＶＡが印加される駆動電極部３８と、印加電圧ＶＡに応じて検出電圧ＶＤが発生する検出電極部３９と、駆動電極部３８及び検出電極部３９の動作を制御するパネル制御部３６と、を有する。パネル制御部３６は、駆動電極部３８に印加電圧ＶＡを印加する際（印加画像表示パネルである際）には、検出電極部３９を、検出電圧ＶＤを発生させない状態（ベースライン駆動モード）とする。また、パネル制御部３６は、駆動電極部３８に印加電圧ＶＡを印加しない際（印加画像表示パネル以外である際）には、検出電極部３９を、検出電圧を発生可能な状態ＶＤ（待機状態）とする。この画像表示パネル３２をタイリングディスプレイに適用すると、検出電極部３９で発生した検出電圧ＶＤを検出することで、画像表示パネル３２の配列パターンを容易に認識することができる。
【０１０６】
なお、本実施形態に係る表示装置ユニット１０は、以上説明したような効果以外にも、有効な効果を奏することができる。
【０１０７】
（第２実施形態）
次に、第２実施形態について説明する。第２実施形態に係る表示装置ユニット１０は、全ての画像表示パネル３２を印加画像表示パネルとして選択しない点で、第１実施形態とは異なる。第２実施形態に係る表示装置ユニット１０において、第１実施形態と構成が共通する箇所は、説明を省略する。
【０１０８】
図１９は、第２実施形態に係る画像表示パネルユニットの構成を示す模式図である。図１９に示すように、第２実施形態に係る画像表示パネルユニット３０は、第１実施形態と異なり、画像表示パネル３２がＸ方向に沿って４列、Ｙ方向に沿って４行の４行４列で配列している。具体的には、第２実施形態において、画像表示パネル３２Ａは、第２行第２列目に配置されている。画像表示パネル３２Ｂは、第３行第１列目に配置されている。画像表示パネル３２Ｃは、第４行第３列目に配置されている。画像表示パネル３２Ｄは、第１行第４列目に配置されている。画像表示パネル３２Ｅは、第４行第４列目に配置されている。画像表示パネル３２Ｆは、第１行第１列目に配置されている。画像表示パネル３２Ｇは、第２行第３列目に配置されている。画像表示パネル３２Ｈは、第４行第２列目に配置されている。画像表示パネル３２Ｉは、第１行第２列目に配置されている。画像表示パネル３２Ｊは、第３行第２列目に配置されている。画像表示パネル３２Ｋは、第２行第１列目に配置されている。画像表示パネル３２Ｌは、第２行第４列目に配置されている。画像表示パネル３２Ｍは、第３行第４列目に配置されている。画像表示パネル３２Ｎは、第３行第３列目に配置されている。画像表示パネル３２Ｏは、第１行第３列目に配置されている。画像表示パネル３２Ｐは、第４行第１列目に配置されている。ただし、この配列順及び配列数は、説明の便宜上設定したものであり、任意のものである。
【０１０９】
第２実施形態においては、制御部２０は、隣接情報Ｂに基づき隣接する画像表示パネルであると判断された画像表示パネルが、複数の隣接情報Ｂ間で重複した場合に、その重複した隣接情報Ｂを統合することにより、配列情報Ｃを作成する。第２実施形態における制御部２０は、重複した隣接情報Ｂを統合することにより、印加画像表示パネルとして選択する画像表示パネル３２の総数を、全画像表示パネル３２の数よりも小さくする。以下、この第２実施形態に係る配列情報Ｃの作成方法について具体的に説明する。
【０１１０】
図２０は、第２実施形態に係る配列情報の作成方法の例を説明する説明図である。図２０に示すように、制御部２０は、最初に画像表示パネル３２Ａを印加画像表示パネルとして選択し、隣接情報作成部７４により、画像表示パネル３２Ａを印加画像表示パネルとした隣接情報Ｂ（図２０では第１隣接情報Ｂ１）を作成する。
【０１１１】
上述のように、隣接情報Ｂは、印加画像表示パネルにＸ方向又はＹ方向で隣接する画像表示パネル３２を示すものである。以下、隣接情報Ｂを、行および列の２次元情報から、１行のみからなる１次元情報に変換して説明する。すなわち、画像表示パネル３２ＡのＹ方向上側に隣接するのは画像表示パネル３２Ｉであり、Ｘ方向左側に隣接するのは画像表示パネル３２Ｋであり、Ｘ方向右側に隣接するのは画像表示パネル３２Ｇであり、Ｙ方向下側に隣接するのは画像表示パネル３２Ｊである。ここで、隣接情報Ｂを１行のみからなる１次元情報に変換すると、画像表示パネル３２Ｉは、画像表示パネル３２Ａよりも４個前（左側に向かって４番目）に存在するといえる。同様に、画像表示パネル３２Ｋは、画像表示パネル３２Ａよりも１個前（左側に向かって１番目）に存在するといえる。また、画像表示パネル３２Ｇは、画像表示パネル３２Ａよりも１個後（右側に向かって１番目）に存在するといえる。また、画像表示パネル３２Ｊは、画像表示パネル３２Ａよりも４個後（右側に向かって４番目）に存在するといえる。
【０１１２】
第１隣接情報Ｂ１を作成した後、制御部２０は、隣接情報作成部７４により、画像表示パネル３２Ｂを印加画像表示パネルとした第２隣接情報Ｂ２を作成する。第２隣接情報Ｂ２に示すように、画像表示パネル３２Ｂの４個前には、画像表示パネル３２Ｋが存在し、画像表示パネル３２Ｂの１個後には、画像表示パネル３２Ｊが存在し、画像表示パネル３２Ｂの４個後には、画像表示パネル３２Ｐが存在する。なお、画像表示パネル３２ＢのＸ方向左側には画像表示パネル３２がないため、画像表示パネル３２ＢのＸ方向左側の画像表示パネル３２は検出されない。この場合、隣接情報作成部７４は、画像表示パネル３２ＢはＸ方向における左側の端部（第１列）にあるとの情報を第２隣接情報Ｂ２に加える。図２０の説明では、便宜上、画像表示パネル３２Ｂの１個前に、Ｘと記載する。
【０１１３】
ここで、第１隣接情報Ｂ１と第２隣接情報Ｂ２とでは、隣接すると検出された画像表示パネル３２が重複する(画像表示パネル３２Ｋ、３２Ｊ)。従って、制御部２０は、配列情報作成部７６により、第１隣接情報Ｂ１と第２隣接情報Ｂ２とを統合する統合処理を実行し、統合情報Ｓ（図２０では第１統合情報Ｓ１）を作成する。具体的には、配列情報作成部７６は、第１隣接情報Ｂ１と第２隣接情報Ｂ２との論理和（ＯＲ）を取り、重複する画像表示パネル３２に隣接する画像表示パネル３２の情報を統合する統合処理を実行し、図２０に示す第１統合情報Ｓ１を作成する。
【０１１４】
また、第２隣接情報Ｂ２は、画像表示パネル３２ＢはＸ方向における左側の端部（第１列）にあるとの情報を有する。配列情報作成部７６は、この情報に基づき、画像表示パネル３２のどれが第１列にあるかを算出する端部処理を実行して、図２０に示す第２統合情報Ｓ２を作成する。図２０の例では、画像表示パネル３２Ｂに加え、その４個後の画像表示パネル３２Ｋ、８個後の画像表示パネル３２Ｐが、第１列にあると算出される。図２０の例では、第１列の画像表示パネル３２の枠の左側を太線として表している。なお、端部処理は、第１列だけに限られず、第４列を検出する処理であってもよい。
【０１１５】
その後、制御部２０は、隣接情報作成部７４により、画像表示パネル３２Ｃを印加画像表示パネルとした第３隣接情報Ｂ３を作成する。第３隣接情報Ｂ３に示すように、画像表示パネル３２Ｃの４個前には、画像表示パネル３２Ｎが存在し、画像表示パネル３２Ｃの１個前には、画像表示パネル３２Ｈが存在し、画像表示パネル３２Ｃの１個後には、画像表示パネル３２Ｅが存在する。画像表示パネル３２ＣのＹ方向下側には画像表示パネル３２がないため、図２０では、画像表示パネル３２Ｃの４個後は、Ｘと記載されている。
【０１１６】
ここで、第２統合情報Ｓ２と、第３隣接情報Ｂ３とは、隣接すると検出された画像表示パネル３２が重複しない。ただし、第３隣接情報Ｂ３では、連続する３つの画像表示パネル３２（画像表示パネル３２Ｈ、３２Ｃ、３２Ｅ）を有する。そして、第２統合情報Ｓ２では、連続する３つの画像表示パネル３２が検出されていない箇所（空白の箇所）は、画像表示パネル３２Ｐの後の３個のみである。従って、配列情報作成部７６は、第３隣接情報Ｂ３の連続する画像表示パネル３２Ｈ、３２Ｃ、３２Ｅは、画像表示パネル３２Ｐの後に隣接するものであるとして、それらの情報を統合するあてはめ処理を行い、第３統合情報Ｙ３を作成する。
【０１１７】
次に、制御部２０は、隣接情報作成部７４により、画像表示パネル３２Ｄを印加画像表示パネルとした第４隣接情報Ｂ４を作成する。第４隣接情報Ｂ４に示すように、画像表示パネル３２Ｄの１個前には、画像表示パネル３２Ｏが存在し、画像表示パネル３２Ｂの４個後には、画像表示パネル３２Ｌが存在する。画像表示パネル３２Ｄは、Ｘ方向右側及びＹ方向上側には隣接する画像表示パネル３２を有さない。従って、画像表示パネル３２Ｄの４個前及び１個後には、Ｘが記載されている。
【０１１８】
第３統合情報Ｓ３と、第４隣接情報Ｂ４とは、重複処理が不可能であるが、あてはめ処理が可能である。具体的には、配列情報作成部７６は、第４隣接情報Ｂ４の連続する２つの画像表示パネル３２（画像表示パネル３２Ｏ、３２Ｄ）を、第３統合情報Ｓ３の画像表示パネル３２Ｉの後に隣接するものであるとして、それらの情報を統合するあてはめ処理を行い、第４統合情報Ｙ４を作成する。
【０１１９】
次に、制御部２０は、隣接情報作成部７４により、画像表示パネル３２Ｆを印加画像表示パネルとした第５隣接情報Ｂ５を作成する。なお、隣接情報作成部７４は、すでに画像表示パネル３２Ｅは隣接する画像表示パネル３２の情報が検出済みのため、画像表示パネル３２Ｆを印加画像表示パネルとする。第５隣接情報Ｂ５に示すように、画像表示パネル３２Ｆの１個後には、画像表示パネル３２Ｉが存在し、画像表示パネル３２Ｆの４個後には、画像表示パネル３２Ｋが存在する。画像表示パネル３２Ｆは、Ｘ方向左側及びＹ方向上側には隣接する画像表示パネル３２を有さない。従って、画像表示パネル３２Ｄの４個前及び１個前には、Ｘが記載されている。
【０１２０】
第５隣接情報Ｂ５と第４統合情報Ｙ４とでは、隣接すると検出された画像表示パネル３２が重複する(画像表示パネル３２Ｉ、３２Ｋ)。配列情報作成部７６は、第５隣接情報Ｂ５と第４統合情報Ｙ４との重複処理を行い、第５統合情報Ｙ５を作成する。
【０１２１】
図２０に示すように、第５統合情報Ｙ５によると、空白、すなわち、まだ隣接する画像表示パネル３２が検出されていない箇所は、１箇所だけとなる。また、第５統合情報Ｙ５に挙げられていない画像表示パネル３２は、画像表示パネル３２Ｍである。従って、配列情報作成部７６は、第５統合情報Ｙ５においてまだ隣接する画像表示パネル３２が検出されていない箇所に、画像表示パネル３２Ｍを代入して、配列情報Ｃを作成する。
【０１２２】
以上のように、第２実施形態に係る制御部２０は、重複処理、端部処理及びあてはめ処理を行って配列情報Ｃを作成する。この場合、印加画像表示パネルとして選択した画像表示パネル３２の総数（５個）は、全画像表示パネル３２の数（１６個）より小さくなる。すなわち、第２実施形態に係る制御部２０は、全ての画像表示パネル３２を印加画像表示パネルとして選択することなく、配列情報Ｃを作成することができる。以下、この処理フローをフローチャートで説明する。図２１は、第２実施形態に係る配列情報の作成処理の処理フローを示すフローチャートである。
【０１２３】
図２１に示すように、制御部２０は、隣接情報作成部７４により、隣接情報Ｂを作成する（ステップＳ５０）。隣接情報Ｂを作成した後、制御部２０は、配列情報作成部７６により、隣接情報Ｂに基づいて重複処理、端部処理、又はあてはめ処理が可能であるかを判断する（ステップＳ５２）。重複処理、端部処理、又はあてはめ処理が可能である場合（ステップＳ５２；Ｙｅｓ）、制御部２０は、配列情報作成部７６により、重複処理、端部処理、又はあてはめ処理を実行し、統合情報Ｙを作成する（ステップＳ５４）。統合情報Ｙを作成した後、制御部２０は、統合情報Ｙに基づき配列情報Ｃを作成可能か判断する（ステップＳ５６）。重複処理、端部処理、又はあてはめ処理が可能でない場合（ステップＳ５２；Ｎｏ）も、ステップＳ５６に進み、制御部２０は、統合情報Ｙに基づき配列情報Ｃを作成可能か判断する。配列情報Ｃを作成可能でない場合（ステップＳ５６；Ｎｏ）、ステップＳ５０に戻り、他の画像表示パネル３２を印加画像表示パネルとした隣接情報Ｂを作成する。配列情報Ｃを作成可能である場合（ステップＳ５６；Ｙｅｓ）、制御部２０は、配列情報作成部７６により、配列情報Ｃを作成し（ステップＳ５８）、印加画像表示パネルの選択を終了する。言い換えれば、制御部２０は、配列情報Ｃを作成した後は、次の印加画像表示パネルを選択することを取りやめる。
【０１２４】
以上説明したように、第２実施形態に係る制御部２０は、隣接すると判断された画像表示パネル３２が重複した場合に、その重複した画像表示パネル３２に隣接する画像表示パネルの情報を統合して配列パターンを検出（配列情報Ｃを作成）する。制御部２０は、全ての画像表示パネル３２について隣接する画像表示パネル３２の検出が終了した場合に、次の印加画像表示パネルの選択を取りやめる。これにより、制御部２０は、印加画像表示パネルとして選択する画像表示パネルの総数を、全画像表示パネルの総数よりも小さくする。この制御部２０は、印加画像表示パネルとして選択する画像表示パネル３２の総数を、全画像表示パネル３２の総数よりも小さくする。従って、第２実施形態に係る制御部２０は、全ての画像表示パネル３２のみを印加画像表示パネルとして選択する必要がなく、検出処理負担を抑制することができる。なお、上記説明では、重複処理、端部処理、及びあてはめ処理の全てを行ったが、少なくとも重複処理を行えばよい。
【０１２５】
（第３実施形態）
次に、第３実施形態について説明する。第３実施形態に係る画像表示パネル３２ａは、駆動電極部３８と検出電極部３９とが、共通する１つの電極である自己容量検出式のタッチパネルである点で、第１実施形態とは異なる。第３実施形態において、第１実施形態と構成が共通する箇所は、説明を省略する。
【０１２６】
図２２は、第３実施形態に係る画像表示パネルの構成を説明する説明図である。図２２に示すように、第３実施形態に係る画像表示パネル３２ａのパネル部３４ａは、駆動検出電極部３８ａＡ、３８ａＢ、３８ａＣ、３８ａＤ、３８ａＥ、・・・３８ａＴを有する。以下、駆動検出電極部３８ａＡ、３８ａＢ、３８ａＣ、３８ａＤ、３８ａＥ、・・・３８ａＴを区別しない場合は、駆動検出電極部３８ａと記載する。
【０１２７】
駆動検出電極部３８ａは、板状の電極であり、パネル部３４ａ内で、Ｘ方向に沿って５列、Ｙ方向に沿って４行の４行５列で配列している。ただし、駆動検出電極部３８ａの数及び配列順は、任意である。
【０１２８】
駆動検出電極部３８ａは、タッチ検出における駆動電極部３８としての機能と、検出電極部３９としての機能とを有する。すなわち、第３実施形態における画像表示パネル３２ａは、静電容量式のタッチパネルであり、より詳しくは、駆動検出電極部３８ａの自己容量の変化を検出する自己容量検出式のタッチパネルである。図２３Ａは、第３実施形態に係る駆動検出電極部の模式的な回路図である。図２３Ａに示すように、画像表示パネル３２ａは、パネル制御部３６と、バッファ部９８Ａと、コンデンサ部９８Ｂと、駆動検出電極部３８ａと、比較器９８Ｃと、電源部９８Ｄとが、電気的に接続されている。具体的には、パネル制御部３６は、バッファ９８Ａを介してコンデンサ部９８Ｂの一方の電極に接続されている。また、コンデンサ部９８Ｂの他方の電極は、駆動検出電極部３８ａと、比較器９８Ｃの一方の入力部とに接続されている。なお、駆動検出電極部３８ａは、比較器９８Ｃと並列にコンデンサ部９８Ｂの他方の電極に接続されている。また、図２３Ａでは記載を省略しているが、駆動検出電極部３８ａは、複数がそれぞれ並列にコンデンサ部９８Ｂの他方の電極に接続されている。
【０１２９】
タッチ検出を行う場合、パネル制御部３６は、コンデンサ部９８Ｂの一方の電極に向けてタッチ駆動信号ＶＴａ０を印加する。コンデンサ部９８の他方の電極には、さらに電源が接続されている。従って、比較器９８Ｃの一方の入力部には、コンデンサ部９８Ｂの一方の電極に出力されたタッチ駆動信号ＶＴａ０に対応するタッチ検出信号が出力される。具体的には、画像表示パネル３２ａに近接物体が近接していない場合、比較器９８Ｃの一方の入力部には、タッチ駆動信号ＶＴａ０と略同等の電圧振幅を有するタッチ検出信号ＶＴａ１が入力される。一方、画像表示パネル３２ａに近接物体が近接している場合、駆動検出電極部３８ａとその近接物体とで容量を形成するため、比較器９８Ｃの一方の入力部には、タッチ駆動信号ＶＴａ０よりも電圧振幅の小さいタッチ検出信号ＶＴａ２が入力される。
【０１３０】
比較器９８Ｃの他方の入力部には、電源部９８Ｄが接続されている。電源部９８Ｄは、比較器９８Ｃの他方の入力部に、タッチ電圧閾値信号ＶＴＨａを出力する。比較器９８Ｃは、一方の入力部に入力されたタッチ検出信号と、タッチ電圧閾値信号ＶＴＨａとの電圧値を比較して、比較結果の情報を有する信号を、パネル制御部３６に出力する。パネル制御部３６は、この比較器９８Ｃからの信号に基づき、画像表示パネル３２ａに近接物体が近接しているかを判断する。
【０１３１】
図２３Ｂは、第３実施形態におけるタッチ検出について説明する説明図である。タッチ検出を行う場合、パネル制御部３６は、図２３Ｂに示すような所定の周波数の交流信号であるタッチ駆動信号ＶＴａ０を、コンデンサ部９８Ｂの一方の電極に向けて印加する。画像表示パネル３２ａに近接物体が近接していない場合、比較器９８Ｃの一方の入力部には、タッチ検出信号ＶＴａ１が入力される。図２３Ｂに示すように、タッチ検出信号ＶＴａ１は、最大電圧値Ｖｍａｘａ１及び周波数がタッチ駆動信号ＶＴａ０と略同一であるが、電圧値が、最大電圧値Ｖｍａｘａ１から最小電圧値Ｖｍｉｎａ１まで徐々に低下している電圧信号である。また、比較器９８Ｃの他方の入力部に、タッチ電圧閾値信号ＶＴＨａが入力されている。タッチ電圧閾値信号ＶＴＨａは一定の電圧値を有する信号である。タッチ電圧閾値信号ＶＴＨａの電圧値は、タッチ検出信号ＶＴａ１の最大電圧値Ｖｍａｘａ１と最小電圧値Ｖｍｉｎａ１との間の値に設定されている。
【０１３２】
一方、画像表示パネル３２ａに近接物体が近接している場合、比較器９８Ｃの一方の入力部には、電圧値がタッチ検出信号ＶＴａ１よりも小さいタッチ検出信号ＶＴａ２が入力される。タッチ電圧閾値信号ＶＴＨａの電圧値は、タッチ検出信号ＶＴａ２の最大電圧値Ｖｍａｘａ２よりも大きくなるように設定されている。比較器９８Ｃは、タッチ電圧閾値信号ＶＴＨａの電圧値が、最大電圧値Ｖｍａｘａ１と最小電圧値Ｖｍｉｎａ１との間である場合は、画像表示パネル３２ａに近接物体が近接していない旨の情報を有する信号を、パネル制御部３６に出力する。比較器９８Ｃは、タッチ電圧閾値信号ＶＴＨａの電圧値が、最大電圧値Ｖｍａｘａ２よりも大きい場合は、画像表示パネル３２ａに近接物体が近接している旨の情報を有する信号を、パネル制御部３６に出力する。画像表示パネル３２ａは、このようにタッチ検出を行う。ただし、画像表示パネル３２ａは、駆動検出電極部３８ａの自己容量の変化を検出する自己容量検出式のタッチパネルであれば、以上説明した構成に限られない。
【０１３３】
また、駆動検出電極部３８ａは、配列パターンを確認する際の各タイミングにおいて、印加電圧ＶＡが印加される。また、駆動検出電極部３８ａは、他の画像表示パネル３２における印加電圧ＶＡに応じて、検出電圧ＶＤが発生する。すなわち、駆動検出電極部３８ａは、第１実施形態の駆動電極部３８の機能と、検出電極部３９の機能との両方を備えるものである。
【０１３４】
図２４は、第３実施形態における検出電圧の発生について説明する説明図である。図２４は、印加画像表示パネルとしての画像表示パネル３２ａＦの駆動検出電極部３８ａＡに、駆動電圧ＶＡを印加した場合の例を示している。また、図２４の例では、画像表示パネル３２ａＣが画像表示パネル３２ａＦに隣接しており、より詳しくは、画像表示パネル３２ａＣの駆動電極検出部３８ａＰが、画像表示パネル３２ａＦの駆動検出電極部３８ａＡに隣接している。図２４に示すように、画像表示パネル３２ａＦの駆動検出電極部３８ａＡと画像表示パネル３２ａＣの駆動電極検出部３８ａＰとは、一対の電極としてコンデンサを形成する。従って、画像表示パネル３２ａＦの駆動検出電極部３８ａＡに駆動電圧ＶＡが印加された場合、隣接する画像表示パネル３２ａＣの駆動電極検出部３８ａＰに、検出電圧ＶＤが発生する。第３実施形態においては、このような原理により、駆動電圧ＶＡが印加された駆動電極検出部３８ａに隣接する駆動電極検出部３８ａにおいて、検出電圧ＶＤが発生する。
【０１３５】
以下、第３実施形態において、印加画像表示パネルとしての画像表示パネル３２ａＦの駆動検出電極部３８ａに、順次印加電圧ＶＡを印加した場合における検出電圧ＶＤの発生について説明する。
【０１３６】
図２５Ａから図２５Ｄは、第３実施形態において印加電圧を印加した場合の検出電圧の発生について説明する説明図である。第３実施形態における印加画像表示パネルは、外周の駆動検出電極部３８ａに、印加電圧ＶＡを印加する。具体的には、第３実施形態における印加画像表示パネル（画像表示パネル３２ａＦ）は、駆動検出電極部３８ａＡ、３８ａＢ、３８ａＣ、３８ａＤ、３８ａＥ、３８ａＪ、３８ａＯ、３８ａＴ、３８ａＳ、３８ａＲ、３８ａＱ、３８ａＰ、３８ａＫ、３８ａＦの順で印加電圧ＶＡを印加していくが、順番はこれに限られない。
【０１３７】
図２５Ａは、画像表示パネル３２ａＦの駆動検出電極部３８ａＡ、３８ａＢ、３８ａＣ、３８ａＤに順に印加電圧ＶＡを印加した場合を示している。画像表示パネル３２ａＦの駆動検出電極部３８ａＡに印加電圧ＶＡが印加された場合、図２５Ａの点線領域９５Ａに示すように、画像表示パネル３２ａＣの駆動検出電極部３８ａＰと、画像表示パネル３２ａＡの駆動検出電極部３８ａＥとにおいて、検出電圧ＶＤが発生する。画像表示パネル３２ａＦの駆動検出電極部３８ａＢに印加電圧ＶＡが印加された場合、点線領域９５Ｂに示すように、画像表示パネル３２ａＣの駆動検出電極部３８ａＱにおいて、検出電圧ＶＤが発生する。画像表示パネル３２ａＦの駆動検出電極部３８ａＣに印加電圧ＶＡが印加された場合、点線領域９５Ｃに示すように、画像表示パネル３２ａＣの駆動検出電極部３８ａＲにおいて、検出電圧ＶＤが発生する。画像表示パネル３２ａＦの駆動検出電極部３８ａＤに印加電圧ＶＡが印加された場合、点線領域９５Ｄに示すように、画像表示パネル３２ａＣの駆動検出電極部３８ａＳにおいて、検出電圧ＶＤが発生する。
【０１３８】
図２５Ｂは、画像表示パネル３２ａＦの駆動検出電極部３８ａＥ、３８ａＪ、３８ａＯの順に印加電圧ＶＡを印加した場合を示している。画像表示パネル３２ａＦの駆動検出電極部３８ａＥに印加電圧ＶＡが印加された場合、図２５Ｂの点線領域９５Ｅに示すように、画像表示パネル３２ａＩの駆動検出電極部３８ａＡと、画像表示パネル３２ａＣの駆動検出電極部３８ａＴとにおいて、検出電圧ＶＤが発生する。画像表示パネル３２ａＦの駆動検出電極部３８ａＪに印加電圧ＶＡが印加された場合、点線領域９５Ｊに示すように、画像表示パネル３２ａＩの駆動検出電極部３８ａＦにおいて、検出電圧ＶＤが発生する。画像表示パネル３２ａＦの駆動検出電極部３８ａＯに印加電圧ＶＡが印加された場合、点線領域９５Ｏに示すように、画像表示パネル３２ａＩの駆動検出電極部３８ａＫにおいて、検出電圧ＶＤが発生する。
【０１３９】
図２５Ｃは、画像表示パネル３２ａＦの駆動検出電極部３８ａＴ、３８ａＳ、３８ａＲ、３８ａＱに順に印加電圧ＶＡを印加した場合を示している。画像表示パネル３２ａＦの駆動検出電極部３８ａＴに印加電圧ＶＡが印加された場合、図２５Ｃの点線領域９５Ｔに示すように、画像表示パネル３２ａＢの駆動検出電極部３８ａＥと、画像表示パネル３２ａＩの駆動検出電極部３８ａＰとにおいて、検出電圧ＶＤが発生する。画像表示パネル３２ａＦの駆動検出電極部３８ａＳに印加電圧ＶＡが印加された場合、点線領域９５Ｓに示すように、画像表示パネル３２ａＢの駆動検出電極部３８ａＤにおいて、検出電圧ＶＤが発生する。画像表示パネル３２ａＦの駆動検出電極部３８ａＲに印加電圧ＶＡが印加された場合、点線領域９５Ｒに示すように、画像表示パネル３２ａＢの駆動検出電極部３８ａＣにおいて、検出電圧ＶＤが発生する。画像表示パネル３２ａＦの駆動検出電極部３８ａＱに印加電圧ＶＡが印加された場合、点線領域９５Ｑに示すように、画像表示パネル３２ａＢの駆動検出電極部３８ａＢにおいて、検出電圧ＶＤが発生する。
【０１４０】
図２５Ｄは、画像表示パネル３２ａＦの駆動検出電極部３８ａＰ、３８ａＫ、３８ａＦの順に印加電圧ＶＡを印加した場合を示している。画像表示パネル３２ａＦの駆動検出電極部３８ａＰに印加電圧ＶＡが印加された場合、図２５Ｄの点線領域９５Ｐに示すように、画像表示パネル３２ａＡの駆動検出電極部３８ａＴと、画像表示パネル３２ａＢの駆動検出電極部３８ａＡとにおいて、検出電圧ＶＤが発生する。画像表示パネル３２ａＦの駆動検出電極部３８ａＫに印加電圧ＶＡが印加された場合、点線領域９５Ｋに示すように、画像表示パネル３２ａＡの駆動検出電極部３８ａＯにおいて、検出電圧ＶＤが発生する。画像表示パネル３２ａＦの駆動検出電極部３８ａＦに印加電圧ＶＡが印加された場合、点線領域９５Ｆに示すように、画像表示パネル３２ａＡの駆動検出電極部３８ａＪにおいて、検出電圧ＶＤが発生する。
【０１４１】
以上の図２５Ａから図２５Ｄで説明したように、第３実施形態においては、印加画像表示パネルにＸ方向又はＹ方向で隣接する待機画像表示パネルの駆動検出電極部３８ａであって、印加画像表示パネル側に位置する駆動検出電極部３８ａにおいて、検出電圧ＶＤが発生する。言い換えれば、印加電圧ＶＡが印加された駆動検出電極部３８ａとＸ方向又はＹ方向で隣接する駆動検出電極部３８ａにおいて、検出電圧ＶＤが発生する。従って、第３実施形態における制御部２０は、第１実施形態と同様に、検出電圧情報Ａ１に基づき、隣接情報Ｂの作成が可能である。
【０１４２】
具体的には、第３実施形態における制御部２０は、図２５Ａに示すように、画像表示パネル３２ａＦの駆動検出電極部３８ａＡ、３８ａＢ、３８ａＣ、３８ａＤ（Ｙ方向上側の駆動検出電極部３８ａ）に順に印加電圧ＶＡを印加した場合に、駆動検出電極部３８ａＰ、３８ａＱ、３８ａＲ、３８ａＳ（Ｙ方向下側の駆動検出電極部３８ａ）で検出電圧ＶＤが発生した画像表示パネル３２ａＣを、画像表示パネル３２ａＦにＹ方向上側で隣接すると認識する。
【０１４３】
また、第３実施形態における制御部２０は、図２５Ｂに示すように、画像表示パネル３２ａＦの駆動検出電極部３８ａＥ、３８ａＪ、３８ａＯ（Ｘ方向右側の駆動検出電極部３８ａ）に順に印加電圧ＶＡを印加した場合に、駆動検出電極部３８ａＡ、３８ａＦ、３８ａＫ（Ｘ方向左側の駆動検出電極部３８ａ）で検出電圧ＶＤが発生した画像表示パネル３２ａＩを、画像表示パネル３２ａＦにＸ方向右側で隣接すると認識する。
【０１４４】
また、第３実施形態における制御部２０は、図２５Ｃに示すように、画像表示パネル３２ａＦの駆動検出電極部３８ａＴ、３８ａＳ、３８ａＲ、３８ａＱ（Ｙ方向下側の駆動検出電極部３８ａ）に順に印加電圧ＶＡを印加した場合に、駆動検出電極部３８ａＥ、３８ａＤ、３８ａＣ、３８ａＢ（Ｙ方向上側の駆動検出電極部３８ａ）で検出電圧ＶＤが発生した画像表示パネル３２ａＢを、画像表示パネル３２ａＦにＹ方向下側で隣接すると認識する。
【０１４５】
また、第３実施形態における制御部２０は、図２５Ｄに示すように、画像表示パネル３２ａＦの駆動検出電極部３８ａＰ、３８ａＫ、３８ａＦ（Ｘ方向左側の駆動検出電極部３８ａ）に順に印加電圧ＶＡを印加した場合に、駆動検出電極部３８ａＴ、３８ａＯ、３８ａＪ（Ｘ方向右側の駆動検出電極部３８ａ）で検出電圧ＶＤが発生した画像表示パネル３２ａＡを、画像表示パネル３２ａＦにＸ方向左側で隣接すると認識する。
【０１４６】
ただし、印加画像表示パネルとしての画像表示パネル３２ａＦは、外周の駆動検出電極部３８ａの全てに印加電圧ＶＡを印加せずに、外周の駆動検出電極部３８ａの一部にのみ印加電圧ＶＡを印加するものであってもよい。例えば、画像表示パネル３２ａＦは、外周の駆動検出電極部３８ａのうち、四隅（４つの頂点）に位置する駆動検出電極部３８ａ（駆動検出電極部３８ａＡ、駆動検出電極部３８ａＥ、駆動検出電極部３８ａＰ、及び駆動検出電極部３８ａＴ）のみに順に印加電圧ＶＡを印加するだけでもよい。また、画像表示パネル３２ａＦは、外周の四隅に位置する駆動検出電極部３８ａのうち、対角線上に対向する２つの駆動検出電極部３８ａ（駆動検出電極部３８ａＡ及び駆動検出電極部３８ａＴ、又は、駆動検出電極部３８ａＥ及び駆動検出電極部３８ａＰ）のみに順に印加電圧ＶＡを印加するだけでもよい。例えば、制御部２０は、画像表示パネル３２ａＦの駆動検出電極部３８ａＡに印加電圧ＶＡを印加した場合に、駆動検出電極部３８ａＥ（右上の駆動検出電極部３８ａ）で検出電圧ＶＤが発生した画像表示パネル３２ａＡを、画像表示パネル３２ａＦにＸ方向左側で隣接すると認識する。また、制御部２０は、この場合に、駆動検出電極部３８ａＰ（左下の駆動検出電極部３８ａ）で検出電圧ＶＤが発生した画像表示パネル３２ａＣを、画像表示パネル３２ａＦにＹ方向上側で隣接すると認識する。
【０１４７】
上述のように、検出電圧ＶＤの大きさは、印加電圧ＶＡを印加した駆動検出電極部３８ａからの距離が離れるに従って小さくなる。従って、外周の駆動検出電極部３８ａの一部にのみ印加電圧ＶＡを印加する場合は、その駆動検出電極部３８ａに隣接する駆動検出電極部３８ａからの検出電圧ＶＤの大きさを予め把握しておき、その検出電圧ＶＤ以下の電圧値を検出しないように、タッチ電圧閾値信号ＶＴＨａの電圧値を予め設定しておけばよい。このように設定しておくことで、例えば、画像表示パネル３２ａＦの駆動検出電極部３８ａＡに印加電圧ＶＡを印加した場合、隣接する画像表示パネル３２ａＣの駆動検出電極部３８ａＰからのみの検出電極ＶＤを検出し、画像表示パネル３２ａＣを隣接すると判断することができる。
【０１４８】
また、制御部２０は、画像表示パネル３２ａＦの駆動検出電極部３８ａＴに印加電圧ＶＡを印加した場合に、駆動検出電極部３８ａＰ（左下の駆動検出電極部３８ａ）で検出電圧ＶＤが発生した画像表示パネル３２ａＩを、画像表示パネル３２ａＦにＸ方向右側で隣接すると認識する。また、制御部２０は、この場合に、駆動検出電極部３８ａＥ（右上の駆動検出電極部３８ａ）で検出電圧ＶＤが発生した画像表示パネル３２ａＢを、画像表示パネル３２ａＦにＹ方向下側で隣接すると認識する。画像表示パネル３２ａＦの駆動検出電極部３８ａＥ及び駆動検出電極部３８ａＰに印加電圧ＶＡを印加する場合も、同様の原理である。
【０１４９】
以上説明したように、第３実施形態に係る画像表示パネル３２ａは、駆動電極部３８と検出電極部３９との機能を備えた駆動検出電極部３８ａを有する。この場合においても、第１実施形態と同様に、画像表示パネル３２同士の配列パターンを容易に認識することができる。
【０１５０】
（第４実施形態）
次に、第４実施形態について説明する。第４実施形態に係る表示装置ユニット１０ｂは、制御画像表示パネルが制御部２０の機能を有する点で、第１実施形態とは異なる。第４実施形態に係る表示装置ユニット１０ｂにおいて、第１実施形態と構成が共通する箇所は、説明を省略する。
【０１５１】
図２６は、第４実施形態に係る表示装置ユニットの構成を示すブロック図である。図２６に示すように、第４実施形態に係る表示装置ユニット１０ｂは、画像表示パネルユニット３０ｂを有する。画像表示パネルユニット３０ｂは、平面状に配列した画像表示パネル３２ｂＡ、３２ｂＢ、３２ｂＣ、３２ｂＤ、３２ｂＥ、３２ｂＧ、３２ｂＨ、３２ｂＩ（画像表示パネル３２ｂ）と、制御画像表示パネル３２ｂＦとを有する。画像表示パネルユニット３０ｂは、少なくとも１つの制御画像表示パネル３２ｂＦを有していれば、制御画像表示パネル３２ｂＦの数は任意である。また、各画像表示パネル３２ｂと制御画像表示パネル３２ｂＦとの配列順も、任意である。すなわち、制御画像表示パネル３２ｂＦは、図２６に示すような中心位置（第２行第２列）に配置されていなくてもよい。
【０１５２】
画像表示パネル３２ｂは、隣接情報Ｂを作成する点で、第１実施形態の画像表示パネル３２と異なる。制御画像表示パネル３２ｂＦは、画像表示パネル３２と同様に部分画像を表示させ、また、タッチ検出を行うものである。さらに、制御画像表示パネル３２ｂＦは、自身及び各画像表示パネル３２ｂを制御する機能を有する。表示装置ユニット１０ｂは、制御画像表示パネル３２ｂＦによる各画像表示パネル３２ｂの制御に基づき、画像を表示させる。
【０１５３】
（パネル制御部の構成）
画像表示パネル３２ｂは、パネル制御部３６ｂを有する。図２７Ａは、第４実施形態に係るパネル制御部の構成を示すブロック図である。図２７Ａに示すようにパネル制御部３６ｂは、電極制御部８４ｂと、パネル配列情報部５５ｂとを有する。
【０１５４】
電極制御部８４ｂは、印加電圧出力部９４と、リターン電圧出力部９６ｂとを有する。印加電圧出力部９４は、自身の駆動電極部３８に印加電圧ＶＡを印加するものである。リターン電圧出力部９６ｂは、自身の検出電極部３９で発生した検出電圧ＶＤに基づき、自身の駆動電極部３８にリターン電圧ＶＲを印加するものである。リターン電圧ＶＲについては後述する。
【０１５５】
パネル配列情報部５５ｂは、検出電圧情報作成部７２ｂと、隣接情報作成部７４ｂとを有する。検出電圧情報作成部７２ｂは、自身以外の画像表示パネル３２ｂ（又は制御画像表示パネル３２ｂＦ）に印加されたリターン電圧ＶＲにより自身の検出電極部３９で発生したリターン検出電圧ＶＲＤに基づいて、検出電圧情報Ａ１ｂを作成するものである。隣接情報作成部７４は、自身に隣接する画像表示パネル３２ｂ（又は制御画像表示パネル３２ｂＦ）の情報である隣接情報Ｂを作成するものである。
【０１５６】
（制御パネル制御部の構成）
制御画像表示パネル３２ｂＦは、制御部２０ｂを有する。図２７Ｂは、第４実施形態に係る制御部の構成を示すブロック図である。制御部２０ｂは、第１実施形態の制御部２０と同様に、各画像表示パネル３２ｂを制御するものである。また、制御部２０ｂは、自身（制御画像表示パネル３２ｂＦ）についても制御する。すなわち、言い換えれば、第４実施形態における制御画像表示パネル３２ｂＦは、制御部を自身に組み込んだものである。図２７Ｂに示すように、制御部２０ｂは、タイミング同期部５０と、画像表示制御部５２と、配列情報部５４ｂと、タッチ制御部８３と、電極制御部８４ｂとを有する。
【０１５７】
タイミング同期部５０は、第１実施形態の制御部２０と同様の方法でタイミング同期処理を行い、制御画像表示パネル３２ｂＦと各画像表示パネル３２とのタイミング同期情報を作成する。
【０１５８】
画像表示制御部５２は、タイミング同期部５０のタイミング同期情報、及び配列情報部５４ｂの配列情報等に基づき、自身（制御画像表示パネル３２ｂＦ）、及び各画像表示パネル３２ｂに所定の部分画像を表示させるための画像信号を送信する。
【０１５９】
配列情報部５４ｂは、印加電圧出力指示部７０、検出電圧情報作成部７２ｂ、隣接情報作成部７４ｂ、他隣接情報取得部７５ｂ、配列情報作成部７６、及び位置ずれ情報作成部７８を有する。配列情報部５４ｂは、第１実施形態と同様に、配列情報Ｃ及び位置ずれ情報Ｄを作成するものである。
【０１６０】
検出電圧情報作成部７２ｂは、自身以外の画像表示パネル３２ｂに印加されたリターン電圧ＶＲにより自身の検出電極部３９で発生したリターン検出電圧ＶＲＤに基づいて、検出電圧情報Ａ１ｂを作成するものである。隣接情報作成部７４ｂは、自身に隣接する画像表示パネル３２ｂの情報である隣接情報Ｂを作成するものである。他隣接情報取得部７５ｂは、他の画像表示パネル３２ｂが作成した隣接情報Ｂを取得するものである。配列情報作成部７６は、これらの隣接情報Ｂに基づき、配列情報Ｃを作成する。各部の処理の詳細については、後述する。
【０１６１】
電極制御部８４ｂは、パネル制御部３６ｂが有する電極制御部８４ｂと同構成なので、説明を省略する。
【０１６２】
（リターン検出電圧）
次に、リターン検出電圧ＶＲＤについて説明する。リターン検出電圧ＶＲＤは、印加画像表示パネルの検出電極部３９で発生する電圧信号である。リターン検出電圧ＶＲＤは、検出電圧情報Ａ１ｂを作成するために用いられる。図２８は、リターン検出電圧について説明する説明図である。図２８は、一例として、印加画像表示パネルを画像表示パネル３２ｂＤとして、その検出電極部３９でリターン検出電圧ＶＲＤが発生する場合を示している。図２８に示すように、画像表示パネル３２ｂＤは、駆動電極部３８Ａに印加電圧ＶｂＡを印加する。この場合、画像表示パネル３２ｂＣは、検出電極部３９Ａにおいて検出電圧ＶＤが発生する。検出電圧ＶＤが発生した画像表示パネル３２ｂＣは、リターン電圧出力部９６ｂにより、自身の駆動電極部３８Ａ（印加画像表示パネル側の駆動電極部３８）にリターン電圧ＶＲを印加する。この場合、画像表示パネル３２ｂＤは、リターン電圧ＶＲに基づき、検出電極部３９Ａでリターン検出電圧ＶＲＤが発生する。
【０１６３】
ここで、リターン電圧ＶＲは、検出電圧ＶＤに基づき出力される電圧信号であり、各画像表示パネル３２を識別するためにコード化された電圧信号である。すなわち、リターン電圧ＶＲは、振幅波形が、画像表示パネル３２ｂ（及び制御画像表示パネル３２ｂＦ）毎に異なるものである。例えば、各画像表示パネル３２ｂ（及び制御画像表示パネル３２ｂＦ）は、リターン電圧ＶＲを、複数のピークを有する交流信号として生成する。そして、各画像表示パネル３２ｂ（及び制御画像表示パネル３２ｂＦ）は、そのピークの数、又はピーク値（最大電圧値）を、それぞれ固有のものとする。その場合、各画像表示パネル３２ｂ（及び制御画像表示パネル３２ｂＦ）のリターン電圧ＶＲは、ピークの数又はピーク値が互いに異なるものとなる。
【０１６４】
ここで、リターン検出電圧ＶＲＤは、リターン電圧ＶＲに基づき発生する電圧信号であり、リターン検出電圧ＶＲＤと振幅波形が共通する。すなわち、リターン検出電圧ＶＲＤの振幅波形は、リターン電圧ＶＲを印加した画像表示パネル３２ｂ（及び制御画像表示パネル３２ｂＦ）毎に異なるものとなる。印加画像表示パネルの検出電圧情報作成部７２ｂは、この画像表示パネル３２ｂ（及び制御画像表示パネル３２ｂＦ）のリターン電圧ＶＲ毎の特徴（ピークの数、又はピーク値）を記憶している。従って、印加画像表示パネルの検出電圧情報作成部７２ｂは、リターン電圧ＶＲと対応する特徴を有するリターン検出電圧ＶＲＤの振幅波形に基づき、どの画像表示パネル３２ｂがリターン電圧ＶＲを出力したかの情報、すなわち、どの画像表示パネル３２ｂで検出電圧ＶＤが発生したかを示すパネル種類情報Ａ２ｂを取得することが可能となる。
【０１６５】
また、印加画像表示パネルは、リターン検出電圧ＶＲＤに基づき、リターン検出電圧ＶＲＤが発生した検出電極部３９が、自身の検出電極部３９中のどれであるかの情報である検出電極種類情報Ａ３ｂを取得する。そして、印加画像表示パネルは、その検出電極部３９が、順次印加電圧ＶＡが印加されたどのタイミングにおいて、リターン検出電圧ＶＲＤが発生したかの情報である検出電極タイミング情報Ａ４ｂを取得する。印加画像表示パネルが有する検出電圧情報作成部７２ｂは、このパネル種類情報Ａ２ｂと、検出電極種類情報Ａ３ｂと、検出電極タイミング情報Ａ４ｂとに基づき、検出電圧情報Ａ１ｂを作成する。従って、言い換えれば、検出電圧情報Ａ１ｂは、複数の駆動電極部３８のうちどの駆動電極部３８に印加電圧ＶＡが印加された際に、どの検出電極部３９にリターン検出電圧ＶＲＤが発生したかの情報である。
【０１６６】
以下、印加電圧ＶＡの印加とリターン検出電圧ＶＲＤの発生について、時系列に沿って説明する。図２９から図３１は、印加電圧の印加とリターン検出電圧の発生を説明するための説明図である。図２９から図３１は、制御画像表示パネル３２ｂＦを印加画像表示パネルにした場合の例を示している。
【０１６７】
図２９は、制御画像表示パネル３２ｂＦの駆動電極部３８Ａに印加電圧ＶＡを印加したタイミングにおいて、リターン検出電圧ＶＲＤが発生する検出電極部３９を示している。図２９に示すように、制御画像表示パネル３２ｂＦの駆動電極部３８Ａに印加電圧ＶＡが印加されると、画像表示パネル３２ｂＡは、検出電極部３９Ｅで検出電圧ＶＤが発生する。また、画像表示パネル３２ｂＩは、検出電極部３９Ａで検出電圧ＶＤが発生する。また、画像表示パネル３２ｂＣは、検出電極部３９Ａ、３９Ｂ、３９Ｃ、３９Ｄ、３９Ｅで検出電圧ＶＤが発生する。
【０１６８】
検出電圧ＶＤが発生した画像表示パネル３２ｂＡは、駆動電極部３８Ａにリターン電圧ＶＲＡを印加させる。制御画像表示パネル３２ｂＦは、点線領域９７Ａに示すように、このリターン電圧ＶＲＡにより、検出電極部３９Ａにリターン検出電圧ＶＲＤＡが発生する。また、検出電圧ＶＤが発生した画像表示パネル３２ｂＩは、駆動電極部３８Ａにリターン電圧ＶＲＩを印加させる。制御画像表示パネル３２ｂＦは、点線領域９７Ｉに示すように、このリターン電圧ＶＲＩにより、検出電極部３９Ｅにリターン検出電圧ＶＲＤＩが発生する。また、検出電圧ＶＤが発生した画像表示パネル３２ｂＣは、駆動電極部３８Ｅにリターン電圧ＶＲＣを印加させる。制御画像表示パネル３２ｂＦは、点線領域９７Ｃに示すように、このリターン電圧ＶＲＣにより、検出電極部３９Ａ、３９Ｂ、３９Ｃ、３９Ｄ、３９Ｅにリターン検出電圧ＶＲＤＣが発生する。
【０１６９】
図３０は、制御画像表示パネル３２ｂＦの駆動電極部３８Ｂ、３８Ｃ、３８Ｄに印加電圧ＶＡを印加したタイミングにおいて、リターン検出電圧ＶＲＤが発生する検出電極部３９を示している。図３０に示すように、制御画像表示パネル３２ｂＦの駆動電極部３８Ｂ、３８Ｃ、３８Ｄに順に印加電圧ＶＡが印加されると、画像表示パネル３２ｂＡは、検出電極部３９Ｅで検出電圧ＶＤが発生する。また、画像表示パネル３２ｂＩは、検出電極部３９Ａで検出電圧ＶＤが発生する。
【０１７０】
検出電圧ＶＤが発生した画像表示パネル３２ｂＡは、駆動電極部３８Ａにリターン電圧ＶＲＡを印加させる。制御画像表示パネル３２ｂＦは、点線領域９７Ａに示すように、このリターン電圧ＶＲＡにより、検出電極部３９Ａにリターン検出電圧ＶＲＤＡが発生する。また、検出電圧ＶＤが発生した画像表示パネル３２ｂＩは、駆動電極部３８Ａにリターン電圧ＶＲＩを印加させる。制御画像表示パネル３２ｂＦは、点線領域９７Ｉに示すように、このリターン電圧ＶＲＩにより、検出電極部３９Ｅにリターン検出電圧ＶＲＤＩが発生する。
【０１７１】
図３１は、制御画像表示パネル３２ｂＦの駆動電極部３８Ｅに印加電圧ＶＡを印加したタイミングにおいて、リターン検出電圧ＶＲＤが発生する検出電極部３９を示している。図３１に示すように、制御画像表示パネル３２ｂＦの駆動電極部３８Ｅに印加電圧ＶＡが印加されると、画像表示パネル３２ｂＡは、検出電極部３９Ｅで検出電圧ＶＤが発生する。また、画像表示パネル３２ｂＩは、検出電極部３９Ａで検出電圧ＶＤが発生する。また、画像表示パネル３２ｂＢは、検出電極部３９Ａ、３９Ｂ、３９Ｃ、３９Ｄ、３９Ｅで検出電圧ＶＤが発生する。
【０１７２】
検出電圧ＶＤが発生した画像表示パネル３２ｂＡは、駆動電極部３８Ａにリターン電圧ＶＲＡを印加させる。制御画像表示パネル３２ｂＦは、点線領域９７Ａに示すように、このリターン電圧ＶＲＡにより、検出電極部３９Ａにリターン検出電圧ＶＲＤＡが発生する。また、検出電圧ＶＤが発生した画像表示パネル３２ｂＩは、駆動電極部３８Ａにリターン電圧ＶＲＩを印加させる。制御画像表示パネル３２ｂＦは、点線領域９７Ｉに示すように、このリターン電圧ＶＲＩにより、検出電極部３９Ｅにリターン検出電圧ＶＲＤＩが発生する。また、検出電圧ＶＤが発生した画像表示パネル３２ｂＢは、駆動電極部３８Ｅにリターン電圧ＶＲＢを印加させる。制御画像表示パネル３２ｂＦは、点線領域９７Ｂに示すように、このリターン電圧ＶＲＢにより、検出電極部３９Ａ、３９Ｂ、３９Ｃ、３９Ｄ、３９Ｅにリターン検出電圧ＶＲＤＢが発生する。
【０１７３】
ここで、制御画像表示パネル３２ｂＦは、同じ検出電極部３９が複数の画像表示パネル３２ｂからのリターン電圧ＶＲを取得する場合がある。このような場合、その検出電極部３９のリターン検出電圧ＶＲＤは、複数のリターン電圧ＶＲの周波数が組み合わさったものとなる。例えば、図３０に示したタイミングでは、制御画像表示パネル３２ｂＦは、検出電極部３９Ａにリターン検出電圧ＶＲＤＡとリターン検出電圧ＶＲＤＣとが発生するため、それらの周波数が組み合わさった信号が検出される。従って、本実施形態の隣接情報作成部７４ｂは、以下の方法でＸ方向及びＹ方向に隣接する画像表示パネル３２ｂを特定し、隣接情報Ｂを作成する。
【０１７４】
最初に、Ｘ方向で隣接する画像表示パネル３２ｂを検出する方法について説明する。制御画像表示パネル３２ｂＦは、図３０に示したように、駆動電極部３８Ｂ、３８Ｃ、３８Ｄのいずれかに印加電圧ＶＡを印加したタイミングでは、検出電極部３９Ａにリターン検出電圧ＶＲＤＡのみが発生する。また、同タイミングでは、検出電極部３９Ｅにリターン検出電圧ＶＲＤＩのみが発生する。従って、制御画像表示パネル３２ｂＦの隣接情報作成部７４ｂは、駆動電極部３８Ｂ、３８Ｃ、３８Ｄいずれかに印加電圧ＶＡを印加したタイミングにおける検出電極部３９Ａのリターン検出電圧ＶＲＤＡに基づき、Ｘ方向左側の画像表示パネル３２ｂＡを特定している。同様に、制御画像表示パネル３２ｂＦの隣接情報作成部７４ｂは、同タイミングにおける検出電極部３９Ｅのリターン検出電圧ＶＲＤＩに基づき、Ｘ方向右側の画像表示パネル３２ｂＩを特定している。
【０１７５】
次に、Ｙ方向で隣接する画像表示パネル３２ｂを検出する方法について説明する。制御画像表示パネル３２ｂＦは、図２９に示したように、駆動電極部３８Ａに印加電圧ＶＡを印加したタイミングでは、検出電極部３９Ｂ、３９Ｃ、３９Ｄに、リターン検出電圧ＶＲＤＣのみが発生する。また、制御画像表示パネル３２ｂＦは、図３１に示したように、駆動電極部３８Ｅに印加電圧ＶＡを印加したタイミングでは、検出電極部３９Ｂ、３９Ｃ、３９Ｄに、リターン検出電圧ＶＲＤＢのみが発生する。従って、制御画像表示パネル３２ｂＦの隣接情報作成部７４ｂは、駆動電極部３８Ａに印加電圧ＶＡを印加したタイミングにおける検出電極部３９Ｂ、３９Ｃ、３９Ｄいずれかのリターン検出電圧ＶＲＤＣに基づき、Ｙ方向上側の画像表示パネル３２ｂＣを特定している。また、制御画像表示パネル３２ｂＦの隣接情報作成部７４ｂは、駆動電極部３８Ｅに印加電圧ＶＡを印加したタイミングにおける検出電極部３９Ｂ、３９Ｃ、３９Ｄいずれかのリターン検出電圧ＶＲＤＢに基づき、Ｙ方向下側の画像表示パネル３２ｂＢを特定している。
【０１７６】
なお、上記説明では、制御画像表示パネル３２ｂＦを印加画像表示パネルにした場合を説明したが、他の画像表示パネル３２ｂを印加画像表示パネルにした場合でも、その画像表示パネル３２ｂが有する隣接情報作成部７４ｂは、同様の方法で隣接情報Ｂを作成する。
【０１７７】
全ての画像表示パネル３２ｂ又は制御画像表示パネル３２ｂＦを印加画像表示パネルとして隣接情報Ｂを作成した後、制御画像表示パネル３２ｂＦの他隣接情報取得部７５ｂは、他の画像表示パネル３２ｂから隣接情報Ｂの情報を取得する。制御画像表示パネル３２ｂＦの配列情報作成部７６は、その隣接情報Ｂに基づき、配列情報Ｃを作成する。
【０１７８】
以上説明したように、第４実施形態に係る表示装置ユニット１０ｂは、制御画像表示パネル３２ｂＦが制御部２０ｂを有して、配列情報Ｃを作成する。第４実施形態で示したように、表示装置ユニット１０ｂは、画像表示パネルに制御部が組み込まれた場合であれば、制御部を別に設けることなく、画像表示パネルの配列パターンを容易に認識することができる。なお、第４実施形態において、印加電圧ＶＡも、各画像表示パネル３２を識別するためにコード化された電圧信号であってもよい。すなわち、印加電圧ＶＡも、振幅波形が、画像表示パネル３２ｂ（及び制御画像表示パネル３２ｂＦ）毎に異なるものとしてもよい。この場合であれば、待機画像表示パネルも、印加画像表示パネルがどの画像表示パネル３２ｂ（又は制御画像表示パネル３２ｂＦ）であるかを認識することができる。
【０１７９】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。例えば、各実施形態の説明では、静電容量方式のタッチパネルについて説明していたが、これに限られない。例えば、表示装置ユニット１０は、駆動電極部３８及び検出電極部３９を各々コイルで構成してもよい。この場合、コイル間に発生する磁界を検出することでも、画像表示パネル３２同士の配列パターンを確認することができる。
【符号の説明】
【０１８０】
１０  表示装置ユニット
２０  制御部
３０  画像表示パネルユニット
３２  画像表示パネル
３４  パネル部
３８  駆動電極部
３９  検出電極部
５０  タイミング同期部
５４  配列情報部
７０  印加電圧出力指示部
７２  検出電圧情報作成部
７４  隣接情報作成部
７６  配列情報作成部
７８  位置ずれ情報作成部
Ａ１  検出電圧情報
Ｂ  隣接情報
Ｃ  配列情報
Ｄ  位置ずれ情報
ＶＡ  印加電圧
ＶＤ  検出電圧
【図１】
0006498082.tif 000002
【図２】
0006498082.tif 000003
【図３】
0006498082.tif 000004
【図４】
0006498082.tif 000005
【図５】
0006498082.tif 000006
【図６】
0006498082.tif 000007
【図７】
0006498082.tif 000008
【図８】
0006498082.tif 000009
【図９】
0006498082.tif 000010
【図１０】
0006498082.tif 000011
【図１１】
0006498082.tif 000012
【図１２】
0006498082.tif 000013
【図１３】
0006498082.tif 000014
【図１４】
0006498082.tif 000015
【図１５】
0006498082.tif 000016
【図１６】
0006498082.tif 000017
【図１７】
0006498082.tif 000018
【図１８Ａ】
0006498082.tif 000019
【図１８Ｂ】
0006498082.tif 000020
【図１８Ｃ】
0006498082.tif 000021
【図１８Ｄ】
0006498082.tif 000022
【図１９】
0006498082.tif 000023
【図２０】
0006498082.tif 000024
【図２１】
0006498082.tif 000025
【図２２】
0006498082.tif 000026
【図２３Ａ】
0006498082.tif 000027
【図２３Ｂ】
0006498082.tif 000028
【図２４】
0006498082.tif 000029
【図２５Ａ】
0006498082.tif 000030
【図２５Ｂ】
0006498082.tif 000031
【図２５Ｃ】
0006498082.tif 000032
【図２５Ｄ】
0006498082.tif 000033
【図２６】
0006498082.tif 000034
【図２７Ａ】
0006498082.tif 000035
【図２７Ｂ】
0006498082.tif 000036
【図２８】
0006498082.tif 000037
【図２９】
0006498082.tif 000038
【図３０】
0006498082.tif 000039
【図３１】
0006498082.tif 000040